(57)【特許請求の範囲】
【請求項１】
キャビティを有するベースと、
前記キャビティに配置され、セルをなす着色材料と、
前記着色材料に電圧を印加する電極部とを含み、
前記セルをなす着色材料は、同じ反射量を有し、異なる顔料及びサイズを有するように構成されるカラー電子ペーパ表示装置。
【請求項２】
前記着色材料の各々は、異なる極性に帯電された半球からなる電子ボールを含み、
前記半球のうちいずれか一つは、他の一つに比べて高い反射率を有する請求項１に記載のカラー電子ペーパ表示装置。
【請求項３】
前記セルには、前記電子ボールが複数配置され、
前記電子ボールは、前記電子ボールの各中心を結ぶ線が三角形をなすように、配置される請求項２に記載のカラー電子ペーパ表示装置。
【請求項４】
前記セルには、複数の前記電子ボールが配置され、
前記電子ボールの各中心は、直線上に位置する請求項２に記載のカラー電子ペーパ表示装置。
【請求項５】
前記半球のうち高い反射率を有する半球に与えられる蛍光顔料を、さらに含む請求項２に記載のカラー電子ペーパ表示装置。
【請求項６】
前記蛍光顔料は、シ.アイ.アシッドイエロー（Ｃ．Ｉ．ＡｃｉｄＹｅｌｌｏｗ）、シ.アイ.ベーシックオレンジ（Ｃ．Ｉ.ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ  ＣａＷＯ４）、タングステン酸−マグネシウム（ｔｕｎｇｓｔｅｎ  ａｃｉｄ  ｍａｇｎｅｓｉｕｍ  ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つを含む請求項５に記載のカラー電子ペーパ表示装置。
【請求項７】
前記着色材料は、
光透過性流体と、
前記光透過性流体内に配置され、異なる電荷に帯電された顔料粒子
とを含む請求項１に記載のカラー電子ペーパ表示装置。
【請求項８】
前記光透過性流体内に配置され、前記顔料粒子のうち高い反射率を有する顔料粒子と同じ電荷に帯電された蛍光顔料を、さらに含む請求項７に記載のカラー電子ペーパ表示装置。
【請求項９】
前記蛍光顔料は、シ.アイ.アシッドイエロー（Ｃ．Ｉ．ＡｃｉｄＹｅｌｌｏｗ）、シ.アイ.ベーシックオレンジ（Ｃ．Ｉ．ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ  ＣａＷＯ４）、タングステン酸−マグネシウム（ｔｕｎｇｓｔｅｎ  ａｃｉｄ  ｍａｇｎｅｓｉｕｍ  ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つを含む請求項８に記載のカラー電子ペーパ表示装置。
【請求項１０】
異なるサイズのキャビティが形成されたベースを準備するステップと、
前記キャビティに着色材料を形成するステップと、
前記ベース上に前記着色材料に電圧を印加する電極部を形成するステップとを含み、
セルをなす前記着色材料は、同じ反射量を有し、異なる顔料及びサイズを有するように構成されるカラー電子ペーパ表示装置の製造方法。
【請求項１１】
前記着色材料を形成するステップは、異なる電荷に帯電された半球からなる電子ボールを前記キャビティに配置するステップを含む請求項１０に記載のカラー電子ペーパ表示装置の製造方法。
【請求項１２】
前記着色材料を形成するステップは、前記半球のうち相対的に高い反射率を有する半球に蛍光顔料を供給するステップをさらに含む請求項１１に記載のカラー電子ペーパ表示装置の製造方法。
【請求項１３】
前記着色材料を形成するステップは、前記半球のうち相対的に低い反射率を有する半球に黒色顔料を供給するステップを含む請求項１２に記載のカラー電子ペーパ表示装置の製造方法。
【請求項１４】
前記着色材料を形成するステップは、前記半球のうちいずれか一つに、シ.アイ.アシッドイエロー（Ｃ．Ｉ．ＡｃｉｄＹｅｌｌｏｗ）、シ.アイ.ベーシックオレンジ（Ｃ．Ｉ.ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ  ＣａＷＯ４）、タングステン酸−マグネシウム（ｔｕｎｇｓｔｅｎ  ａｃｉｄ  ｍａｇｎｅｓｉｕｍ  ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つを注入するステップを含む請求項１２に記載のカラー電子ペーパ表示装置の製造方法。
【請求項１５】
前記着色材料を形成するステップは、前記キャビティに異なる電荷に帯電された顔料粒子を有する電気泳動流体を形成するステップを含む請求項１０に記載のカラー電子ペーパ表示装置の製造方法。
【請求項１６】
前記電気泳動流体を形成するステップは、
前記キャビティに光透過性流体を注入するステップと、
蛍光顔料を前記顔料粒子のうち高い反射率を有する顔料粒子と同じ電荷を有するように帯電させ、前記光透過性流体に注入するステップ
とを含む請求項１５に記載のカラー電子ペーパ表示装置の製造方法。
【請求項１７】
前記着色材料を形成するステップは、前記着色材料に、シ.アイ.アシッドイエロー（Ｃ．Ｉ．ＡｃｉｄＹｅｌｌｏｗ）、シ.アイ.ベーシックオレンジ（Ｃ．Ｉ．ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ  ＣａＷＯ４）、タングステン酸−マグネシウム（ｔｕｎｇｓｔｅｎ  ａｃｉｄ  ｍａｇｎｅｓｉｕｍ  ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つを注入するステップを含む請求項１６に記載のカラー電子ペーパ表示装置の製造方法。
【請求項１８】
各々が異なる電荷に帯電された半球からなる複数の電子ボールと、前記電子ボールが配置されるキャビティが形成されたベースと、前記電子ボールを切り換える電極部とを含むカラー電子ペーパ表示装置の製造方法において、
（ａ）前記キャビティのサイズが異なる前記ベースを形成するステップ、
（ｂ）相対的に低い反射率の顔料を有する電子ボールに比べて小さくなるように前記電子ボールのうち高い反射率の顔料を有する電子ボールを形成するステップ、
（ｃ）前記電子ボールがサイズ別に前記キャビティに自己整列されて配置されるようにするステップ、
を含み、
前記（ｂ）のステップは、異なるサイズの前記電子ボールの各々の反射量が互いに同じようにする、カラー電子ペーパ表示装置の製造方法。
【請求項１９】
前記（ｃ）のステップは、前記電子ボールのうち最も大きなサイズの電子ボールから最も小さなサイズの電子ボールまで順に前記キャビティに配置する請求項１８に記載のカラー電子ペーパ表示装置の製造方法。
【請求項２０】
前記電極部は、前記キャビティの開口部に対向するように配置された電極板形態の上部電極を備え、
前記キャビティは、異なるサイズの前記電子ボールが前記電極板から一定間隔離間されるように、前記キャビティの各々の深さが調節される請求項１９に記載のカラー電子ペーパ表示装置の製造方法。
【請求項２１】
前記電子ボールに蛍光顔料を供給するステップを、さらに含む請求項１８に記載のカラー電子ペーパ表示装置の製造方法。
【請求項２２】
前記蛍光顔料を供給するステップは、前記半球のうち相対的に反射率が高い半球に、シ.アイ.アシッドイエロー（Ｃ．Ｉ．ＡｃｉｄＹｅｌｌｏｗ）、シ.アイ.ベーシックオレンジ（Ｃ．Ｉ．ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ；ＣａＷＯ４）、タングステン酸−マグネシウム（ｔｕｎｇｓｔｅｎ  ａｃｉｄ  ｍａｇｎｅｓｉｕｍ；ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣdＢ２Ｏ５）及びハロリン酸カルシウムのうち少なくともいずれか一つを供給してなされる請求項２１に記載のカラー電子ペーパ表示装置の製造方法。
【請求項２３】
前記（ｃ）のステップは、前記電子ボールのうち、一つのセルをなす三個の電子ボールの各中心を結ぶ線が三角形をなすように、前記電子ボールを前記ベース上に配置するステップを含む請求項１８に記載のカラー電子ペーパ表示装置の製造方法。
【請求項２４】
前記（ｃ）のステップは、前記電子ボールのうち、一つのセルをなす４個の電子ボールの各中心を結ぶ線が四角形をなすように、前記電子ボールを前記ベース上に配置するステップを含む請求項１８に記載のカラー電子ペーパ表示装置の製造方法。
【請求項２５】
前記（ｃ）のステップは、前記電子ボールのうち、一つのセルをなす少なくとも三個の電子ボールの各中心が一直線上に配置されるように、前記電子ボールを前記ベース上に配置するステップを含む請求項１８に記載のカラー電子ペーパ表示装置の製造方法。
【発明の詳細な説明】
【技術分野】
【０００１】
本発明は、カラー電子ペーパ表示装置及びその製造方法に関するもので、より詳しくは、色表現力及び明るさを向上したカラー電子ペーパ表示装置及びその製造方法に関するものである。
【背景技術】
【０００２】
次世代表示装置のうち、電子ペーパ表示装置は、他の表示装置に比べて大きい可榛性を有し、低電力で駆動できる。そのため、該電子ペーパ表示装置は書籍のような紙印刷媒体を代替することができ、その他多様な種類のスクリーン及び電子僻地などの分野に適用することができるという長所がある。電子ペーパ表示装置は、白黒電子ペーパ表示装置とカラー電子ペーパ表示装置とに大別することができる。このうち、カラー電子ペーパ表示装置は、多様な色の表現のために少なくとも３種類の色相の着色材料を備えなければならない。例えば、通常のカラー電子ペーパ表示装置の着色材料としては、多様な種類の顔料に一定の色相を有する電子ボール及び電気泳動流体などが使われている。
【発明の概要】
【発明が解決しようとする課題】
【０００３】
しかしながら、異なる種類の顔料は異なる光の反射率（ｒｅｆｌｅｃｔａｎｃｅ）を有し、異なる色相の着色材料の各々は異なる反射量を有する。この場合、カラー電子ペーパ表示装置のセル（Ｃｅｌｌ）をなす着色材料の各々の反射率が不均一で、表示装置の鮮明度、色表現力及び明るさ特性が低下する。また、カラー電子ペーパ表示装置は、通常の白黒電子ペーパ表示装置に比べて、単位面積当りの反射率が白黒対比で３０％以上減少している。そのため、カラー電子ペーパ表示装置は白黒電子ペーパ表示装置に比べて、明るさ及び白黒対照比が落ちるという不都合がある。
【０００４】
本発明は上記の間題点に鑑みて成されたものであって、本発明の一つの目的は、色表現力及び鮮明度が向上したカラー電子ペーパ表示装置を提供することにある。
【０００５】
本発明の他の目的は、明るさ及び白黒対照比が向上したカラー電子ぺーパ表示装置を提供することにある。
【０００６】
本発明のさらに他の目的は、色表現力及び鮮明度が向上したカラー電子ペーパ表示装置の製造方法を提供することにある。
【０００７】
本発明のさらに他の目的は、明るさ及び白黒対照比が向上したカラー電子ペーパ表示装置の製造方法を提供することにある。
【課題を解決するための手段】
【０００８】
上記目的を解決するために、本発明の好適な実施の形態によるカラー電子ペーパ表示装置は、ベースと、前記ベース上に配置される第１の着色材料と、前記ベース上に配置され、前記第１の着色材料に比べて高い反射率及び小さなサイズを有する第２の着色材料と、前記第１及び第２の着色材料に電圧をそれぞれ印加する電極部とを含む。
【０００９】
本発明の実施形態によれば、前記第１の着色材料は、前記第２の着色材料と同じ反射量を有することができる。
【００１０】
本発明の実施形態によれば、前記第１の着色材料及び前記第２の着色材料は、異なる顔料が付与された半球からなる電子ボールを含み、前記第２の着色材料は、前記第１の着色材料に比べて小さな直径を有することができる。
【００１１】
本発明の実施形態によれば、前記第１の着色材料及び前記第２の着色材料は、異なる電荷に帯電された顔料粒子を有する光透過性流体を有し、前記第２の着色材料は、前記第１の着色材料に比べて小さな容積を有することができる。
【００１２】
本発明の実施形態によれば、前記ベースは、前記第１の着色材料及び前記第２の着色材料を支持するプレートと、前記プレートから延びる構造を有し、前記プレート上で前記第１の着色材料と前記第２の着色材料とを区切る隔壁とを含むことができる。
【００１３】
本発明の実施形態によれば、前記ベースは、前記第１及び第２の着色材料の配置空間を付与するキャビティを備え、前記隔壁は、前記第１及び第２の着色材料が前記キャビティに自己整列（Ｓｅｌｆ-ａｌｉｇｎｍｅｎｔ）されて進入するように、前記第１及び第２の着色材料を案内することができる。
【００１４】
本発明の実施形態によれば、前記ベースの一側に配置された下部電極と、前記ベースの他側に配置された上部電極とを含み、前記下部電極は、前記第１の着色材料に対向する第１の電極と、前記第２の着色材料に対向する第２の電極とを含み、前記上部電極は、前記第１の着色材料及び前記第２の着色材料に全て対応する電極板を含むことができる。
【００１５】
本発明の実施形態によれば、前記ベースは、前記第１の着色材料及び前記第２の着色材料の配置空間を形成するキャビティを備え、前記キャビティは、前記上部電極に向けて開けられた上部と、前記第１及び第２の着色材料を取り囲む側面と、前記第１及び第２の着色材料を支持する下面とによって画定されることができる。
【００１６】
本発明の実施形態によれば、前記第１及び第２の着色材料は、前記キャビティ内で前記上部電極から同じ間隔で離間して配置されることができる。
【００１７】
本発明の実施形態によれば、前記ベース上に配置され、前記第２の着色材料に比べて高い反射率及び小さなサイズを有する第３の着色材料をさらに含み、前記第１〜第３の着色材料は一つのセルを構成し、前記一つのセルをなす前記第１〜第３の着色材料の各中心を結ぶ線は、三角形をなすことができる。
【００１８】
本発明の実施形態によれば、前記セルは、第１のセルと該第１のセルに対して１８０°回転した形態で配置された第２のセルとから成り、前記第１のセル及び前記第２のセルは第１の方向に沿って交互に配置され、前記第１の方向に垂直な第２の方向に沿って繰返して配置されることができる。
【００１９】
本発明の実施形態によれば、前記セルは、第１のセルと該第１のセルに対して１８０°回転した形態で配置された第２のセルとから成り、前記第１のセル及び前記第２のセルは第１の方向及び該第１の方向に垂直な第２の方向に沿って交互に配置されることができる。
【００２０】
本発明の実施形態によれば、前記セルは、第１のセルと該第１のセルに対して１８０°回転した形態で配置された第２のセルとから成り、前記第１のセル及び前記第２のセルは、第１の方向及び該第１の方向に比べて垂直な第２の方向に沿って交互に繰返して配置され、前記第１のセル及び前記第２のセルは、互いに噛み合う形態（ｉｎｔｅｒｄｉｇｉｔｅｄ  ｃｏｎｆｉｇｕｒａｔｉｏｎ）をなすように配置されることができる。
【００２１】
本発明の実施形態によれば、前記ベース上に配置され、前記第２の着色材料に比べて高い反射率及び小さなサイズを有する第３の着色材料をさらに含み、前記第１〜第３の着色材料は、一つのセルを構成し、前記一つのセルをなす前記第１〜第３の着色材料の各中心は、同一線上に配置されることができる。
【００２２】
本発明の実施形態によれば、前記ベース上に配置され、前記第２の着色材料に比べて高い反射率及び小さなサイズを有する第３の着色材料と、前記ベース上に配置され、前記第３の着色材料に比べて高い反射率及び小さなサイズを有する第４の着色材料とをさらに含み、前記第１〜第４の着色材料は、一つのセルをなし、前記一つのセルをなす前記第１〜第４の着色材料の各中心を結ぶ線は、四角形をなすことができる。
【００２３】
本発明の実施形態によれば、前記ベース上に配置され、前記第２の着色材料に比べて高い反射率及び小さなサイズを有する第３の着色材料と、前記ベース上に配置され、前記第３の着色材料に比べて高い反射率及び小さなサイズを第４の着色材料とをさらに含み、前記第１〜第４の着色材料は、一つのセルをなし、前記一つのセルをなす前記第１及び第４の着色材料の各中心は、直線上に配置されることができる。
【００２４】
本発明の実施形態によれば、前記セルは、第１のセルと該第１のセルに対して１８０°回転した形態で配置された第２のセルとから成り、前記第１のセル及び前記第２のセルは、第１の方向に沿って交互に繰返して配置されることができる。
【００２５】
本発明の実施形態によれば、前記第１の着色材料及び前記第２の着色材料は、蛍光顔料をさらに含むことができる。
【００２６】
本発明の実施形態によれば、前記第１の着色材料及び前記第２の着色材料の各々は、異なる電荷に帯電された半球からなる電子ボールを含み、前記蛍光顔料は、前記半球のうちいずれか一つに付与されることができる。
【００２７】
本発明の実施形態によれば、前記蛍光顔料は、前記半球のうち相対的に高い反射率を有する半球に付与されることができる。
【００２８】
本発明の実施形態によれば、前記第１の着色材料及び第２の着色材料の各々は、光透過性流体及び該光透過性流体に配置された顔料粒子を含み、前記蛍光顔料は、前記顔料粒子のうち高い反射率を有する顔料粒子と同じ電荷に帯電できる。
【００２９】
本発明の実施形態によれば、前記蛍光顔料には、シ.アイ.アシッドイエロー（Ｃ．Ｉ．ＡｃｉｄＹｅｌｌｏｗ）、シ.アイ.ベーシックオレンジ（Ｃ．Ｉ．ＢａｓｉｃＯｒａｎｇｅ）、シ.アイ.アシッドレッド（Ｃ．Ｉ．ＡｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ    ａｃｉｄ  ｃａｌｃｉｕｍ；ＣａＷＯ４）、タングステン酸−マグネシウム（ｔｕｎｇｓｔｅｎ  ａｃｉｄｍ  Ａｇｎｅｓｉｕｍ；ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つが挙げられる。
【００３０】
本発明の実施形態によれば、前記シ.アイ.ベーシックオレンジは、シ.アイ.ベーシックオレンジ１４（Ｃ.Ｉ.ＢａｓｉｃＯｒａｎｇｅ  １４）であってもよい。
【００３１】
本発明の実施形態によれば、前記シ.アイ.アシッドレッドは、シ.アイ.アシッドレッド８７（Ｃ.Ｉ.ＡｃｉｄＲｅｄ  ８７）であってもよい。
【００３２】
本発明によるカラー電子ペーパ表示装置は、キャビティを有するベースと、前記キャビティに配置され、セルをなす着色材料及び前記着色材料に電圧を印加する電極部とを含み、前記セルをなす着色材料は、同じ反射量を有し、異なる顔料及びサイズを有するように構成される。
【００３３】
本発明の実施形態によれば、前記着色材料の各々は、異なる極性に帯電された半球からなる電子ボールを含み、前記半球のうちいずれか一つは、他の一つに比べて高い反射率を有することができる。
【００３４】
本発明の実施形態によれば、前記セルには前記電子ボールが複数配置され、前記電子ボールの各中心を結ぶ線が三角形をなすように、配置されることができる。
【００３５】
本発明の実施形態によれば、前記セルには複数の前記電子ボールが配置され、前記電子ボールの各中心は、直線上に位置されることができる。
【００３６】
本発明の実施形態によれば、前記半球のうち高い反射率を有する半球に付与される蛍光顔料をさらに含むことができる。
【００３７】
本発明の実施形態によれば、前記着色材料は、光透過性流体と、該光透過性流体内に配置され、異なる電荷に帯電された顔料粒子とを含むことができる。
【００３８】
本発明の実施形態によれば、前記光透過性流体内に配置され、前記顔料粒子のうち高い反射率を有する顔料粒子と同じ電荷に帯電された蛍光顔料をさらに含むことができる。
【００３９】
上記目的を解決するために、本発明の他の好適な実施形態によるカラー電子ペーパ表示装置の製造方法は、ベースを準備するステップと、前記ベース上に第１の着色材料を配置するステップと、前記ベース上に前記第１の着色材料に比べて高い反射率及び小さなサイズを有する第２の着色材料を配置するステップと、前記ベース上に前記第１の着色材料及び前記第２の着色材料に電圧を印加する電極部を形成するステップとを含む。
【００４０】
本発明の実施形態によれば、前記第１の着色材料及び前記第２の着色材料は、互いに同じ反射量を有するように調節できる。
【００４１】
本発明の実施形態によれば、前記ベースを準備するステップは、予備ベースを準備するステップと、前記予備ベースに前記第１の着色材料及び前記第２の着色材料の配置空間を付与し、異なるサイズを有するキャビティを形成するステップとを含むことができる。
【００４２】
本発明の実施形態によれば、前記第１の着色材料を配置するステップは、異なる電荷に帯電された半球からなる第１の電子ボールを準備するステップと、前記第１の電子ボールを前記ベース上に供給し、前記第１の電子ボールが前記キャビティのうち最も大きなサイズのキャビティに自己整列されて進入するようにするステップとを含むことができる。
【００４３】
本発明の実施形態によれば、前記第２の着色材料を配置するステップは、前記第１の電子ボールに比べて小さなサイズを有する第２の電子ボールを準備するステップと、前記第１の電子ボールを前記ベース上に供給した後、前記第２の電子ボールを前記ベース上に供給し、前記第２の電子ボールが前記キャビティのうち前記最も大きなサイズのキャビティに比べて次位のサイズを有するキャビティに自己整列されて進入するようにするステップとを含むことができる。
【００４４】
本発明の実施形態によれば、前記キャビティを形成するステップは、前記予備ベースに対して、フォトレジストエッチング工程、レーザドリル加工工程及び機械的ドリル加工工程のうち少なくともいずれか一つを行うステップを含むことができる。
【００４５】
本発明の実施形態によれば、前記第１の着色材料を配置するステップは、前記キャビティに光透過性流体を注入するステップと、前記光透過性流体に異なる電荷に帯電された顔料粒子を注入するステップとを含むことができる。
【００４６】
本発明の実施形態によれば、前記電極部を形成するステップは、前記ベースの一側に下部電極を形成するステップと、前記ベースの他側に上部電極を形成するステップとを含み、前記下部電極を形成するステップは、前記第１の着色材料に対応するように配置された第１の電極を形成するステップと、前記第２の着色材料に対応するように配置された第２の電極を形成するステップとを含み、前記上部電極を形成するステップは、前記第１の着色材料及び前記第２の着色材料に対応する電極板を形成するステップとを含むことができる。
【００４７】
本発明の実施形態によれば、前記ベースを準備するステップは、平板形状の予備ベースを準備するステップを含み、前記電極部を形成するステップは、前記第１の着色材料及び前記第２の着色材料を前記ベースに配置する前に、前記予備ベースの下部に下部電極を形成するステップと、前記第１の着色材料及び前記第２の着色材料を前記ベースに配置した後、前記予備ベースの上部に上部電極を形成するステップとを含むことができる。
【００４８】
本発明の実施形態によれば、前記上部電極を形成するステップは、前記予備ベースに前記第１の着色材料及び前記第２の着色材料の配置空間を付与するキャビティを形成した後に行われることができる。
【００４９】
本発明の実施形態によれば、前記ベース上に前記第１の着色材料及び前記第２の着色材料と共に一つのセルをなす第３の着色材料を配置するステップをさらに含み、前記第１〜第３の着色材料を配置するステップは、前記第１〜第３の着色材料の各中心を結ぶ線が三角形をなすように、前記第１〜第３の着色材料を配置することができる。
【００５０】
本発明の実施形態によれば、前記ベース上に前記第１の着色材料及び前記第２の着色材料と共に一つのセルをなす第３の着色材料を配置するステップをさらに含み、前記第１〜第３の着色材料を配置するステップは、前記第１〜第３の着色材料の各中心が一直線上に位置するように、前記第１〜第３の着色材料を配置することができる。
【００５１】
本発明の実施形態によれば、前記ベース上に、前記第１の着色材料及び前記第２の着色材料と共に一つのセルをなす第３の着色材料及び第４の着色材料を配置するステップをさらに含み、前記第１〜第４の着色材料を配置するステップは、前記第１〜第４の着色材料の各中心を結ぶ線が四角形をなすように、前記第１〜第４の着色材料を配置することができる。
【００５２】
本発明の実施形態によれば、前記ベース上に、前記第１の着色材料及び前記第２の着色材料と共に一つのセルをなす第３の着色材料及び第４の着色材料を配置するステップをさらに含み、前記第１〜第４の着色材料を配置するステップは、前記第１〜第４の着色材料の各中心が一直線上に位置するように、前記第１〜第４の着色材料を配置することができる。
【００５３】
本発明の実施形態によれば、前記第１の着色材料及び前記第２の着色材料に蛍光顔料を供給するステップを、さらに含むことができる。
【００５４】
上記目的を解決するために、本発明のさらに他の好適な実施形態によるカラー電子ペーパ表示装置の製造方法は、異なるサイズのキャビティが形成されたベースを準備するステップと、前記キャビティに着色材料を形成するステップと、前記ベース上に前記着色材料に電圧を印加する電極部を形成するステップとを含む。
【００５５】
本発明の実施形態によれば、前記着色材料を形成するステップは、前記ベース上に、異なる電荷に帯電された半球からなる電子ボールを前記キャビティに配置するステップを含むことができる。
【００５６】
本発明の実施形態によれば、前記着色材料を形成するステップは、前記半球のうち相対的に高い反射率を有する半球に前記蛍光顔料を供給するステップをさらに含むことができる。
【００５７】
本発明の実施形態によれば、前記着色材料を形成するステップは、前記半球のうち相対的に低い反射率を有する半球に黒色顔料を供給するステップを含むことができる。
【００５８】
本発明の実施形態によれば、前記着色材料を形成するステップは、前記キャビティに異なる電荷に帯電された顔料粒子を有する電気泳動流体を形成するステップを含むことができる。
【００５９】
本発明の実施形態によれば、前記電気泳動流体を形成するステップは、前記キャビティに光透過性流体を注入するステップと、前記蛍光顔料を前記顔料粒子のうち高い反射率を有する顔料粒子と同じ電荷を有するように帯電させ、前記光透過性流体に注入するステップとを含むことができる。
【００６０】
本発明によるカラー電子ペーパ表示装置の製造方法は、各々が異なる電荷に帯電された半球からなる複数の電子ボールと、前記電子ボールが配置されるキャビティが形成されたベースと、前記電子ボールを切り換える電極部とを備え、前記キャビティ及び前記電子ボールのサイズを異ならせて、前記電子ボールがサイズ別に前記キャビティに自己整列されて配置されるようにする。
【００６１】
本発明の実施形態によれば、前記電子ボールのサイズを異ならせるステップは、前記電子ボールのうち高い反射率の顔料を有する電子ボールが相対的に低い反射率の顔料を有する電子ボールに比べて小さくなるようにして行われることができる。
【００６２】
本発明の実施形態によれば、前記電子ボールのサイズを異ならせるステップは、異なるサイズの前記電子ボールの各々の反射量が互いに同じになるようにすることができる。
【００６３】
本発明の実施形態によれば、前記電子ボールを前記キャビティに自己整列するステップは、前記電子ボールのうち最も大きなサイズの電子ボールから最も小さなサイズの電子ボールまで順に前記キャビティに配置させて行われることができる。
【００６４】
本発明の実施形態によれば、前記電極部は、前記キャビティの開口部に対向するように配置された電極板形態の上部電極を備え、前記キャビティは異なるサイズの前記電子ボールが前記電極板から一定間隔で離間されるように、前記キャビティの各々の深さを調節できる。
【００６５】
本発明の実施形態によれば、前記電子ボールに蛍光顔料を供給するステップを、さらに含むことができる。
【００６６】
本発明の実施形態によれば、前記電子ボールを前記キャビティに配置するステップは、前記電子ボールのうち、一つのセルをなす三個の電子ボールの各中心を結ぶ線が三角形をなすように、前記電子ボールを前記ベース上に配置するステップを含むことができる。
【００６７】
本発明の実施形態によれば、前記電子ボールを前記キャビティに配置するステップは、前記電子ボールのうち、一つのセルをなす４個の電子ボールの各中心を結ぶ線が四角形をなすように、前記電子ボールを前記ベース上に配置するステップを含むことができる。
【００６８】
本発明の実施形態によれば、前記電子ボールを前記キャビティに配置するステップは、前記電子ボールのうち、一つのセルをなす少なくとも三個の電子ボールの各中心が一直線上に配置されるように、前記電子ボールを前記ベース上に配置するステップを含むことができる。
【発明の効果】
【００６９】
本発明のカラー電子ペーパ表示装置によれば、異なる種類の顔料を有し、異なる反射率を有する着色材料のサイズを異ならせて、各々の着色材料の反射量を同一にする。これにより、本発明によるカラー電子ペーパ表示装置は、着色材料の反射量を均一にすることにより、鮮明度、色表現力及び明るさ特性を向上させることができる。
【００７０】
また、本発明のカラー電子ペーパ表示装置によれば、異なるサイズの着色材料を備え、着色材料の間隔を減少させた平面的配列構造を有する。これにより、本発明によるカラー電子ペーパ表示装置は、着色材料の間の間隔を最小化させ、色表現力、鮮明度及び明るさ特性を向上させることができる。
【００７１】
また、本発明のカラー電子ペーパ表示装置によれば、蛍光顔料入り着色材料を備え、着色材料の反射量を向上させる。これにより、本発明によるカラー電子ペーパ表示装置は、着色材料の反射量が増加して、明るさ及び白黒対照比を向上させることができる。
【００７２】
また、本発明のカラー電子ペーパ表示装置の製造方法によれば、異なる種類の顔料を有し、異なる反射率を有する着色材料のサイズを異ならせて、各々の着色材料の反射量を同一にしたカラー電子ペーパ表示装置を製造することができる。これにより、本発明によるカラー電子ペーパ表示装置の製造方法は、着色材料の反射量を均一にすることにより、鮮明度、色表現力及び明るさ特性を向上したカラー電子ペーパ表示装置を製造することができる。
【００７３】
また、本発明のカラー電子ペーパ表示装置の製造方法によれば、異なるサイズの着色材料を備え、着色材料の間隔を減少させた平面的配列構造を有するカラー電子ペーパ表示装置を製造することができる。これにより、本発明によるカラー電子ペーパ表示装置の製造方法は、着色材料の間の間隔を最小化させ、色表現力、鮮明度及び明るさ特性を向上したカラー電子ペーパ表示装置を製造することができる。
【００７４】
また、本発明のカラー電子ペーパ表示装置の製造方法によれば、蛍光顔料入り着色材料を備え、着色材料の反射量が向上したカラー電子ペーパ表示装置を製造することができる。これにより、本発明によるカラー電子ペーパ表示装置の製造方法は、着色材料の反射量が増加して、明るさ及び白黒対照比を向上したカラー電子ペーパ表示装置を製造することができる。
【図面の簡単な説明】
【００７５】
【図１】本発明の一実施形態によるカラー電子ペーパ表示装置を示す平面図である。
【図２】図１中のI−I′線に沿った断面図である。
【図３】着色材料に使われる顔料の反射率を示す図面である。
【図４】本発明の他の一実施形態によるカラー電子ペーパ表示装置の製造方法を示すフローチャートである。
【図５ａ】図５ａは本発明の他の実施形態によるカラー電子ペーパ表示装置の製造過程を説明するための図面である。
【図５ｂ】図５ｂは図５ａ中のI−I′線に沿った断面図である。
【図６ａ】図６ａは本発明の他の実施形態によるカラー電子ペーパ表示装置の製造過程を説明するための図面である。
【図６ｂ】図６ｂは図５ａ中のI−I′線に沿った断面図である。
【図７ａ】図７ａは本発明の他の実施形態によるカラー電子ペーパ表示装置の製造過程を説明するための図面である。
【図７ｂ】図７ｂは図５ａ中のI−I′線に沿った断面図である。
【図８ａ】図８ａは本発明の他の実施形態によるカラー電子ペーパ表示装置の製造過程を説明するための図面である。
【図８ｂ】図８ｂは図５ａ中のI−I′線に沿った断面図である。
【図９ａ】図９ａは本発明の他の実施形態によるカラー電子ペーパ表示装置の製造過程を説明するための図面である。
【図９ｂ】図９ｂは図５ａ中のI−I′線に沿った断面図である。
【図１０】本発明の変形例によるカラー電子ペーパ表示装置の製造方法を示すフローチャートである。
【図１１ａ】図１１ａは本発明の変形例によるカラー電子ペーパ表示装置の製造過程を説明するための図面である。
【図１１ｂ】図１１ｂは本発明の変形例によるカラー電子ペーパ表示装置の製造過程を説明するための図面である。
【図１１ｃ】図１１ｃは本発明の変形例によるカラー電子ペーパ表示装置の製造過程を説明するための図面である。
【図１２】図１のカラー電子ペーパ表示装置の一変形例を示す図面である。
【図１３】図１のカラー電子ペーパ表示装置の他の変形例を示す図面である。
【図１４】図１のカラー電子ペーパ表示装置のさらに他の変形例を示す図面である。
【図１５】図２のカラー電子ペーパ表示装置の一変形例を示す図面である。
【図１６】図２のカラー電子ペーパ表示装置の他の変形例を示す図面である。
【図１７】図１のカラー電子ペーパ表示装置のさらに他の変形例を示す図面である。
【図１８】図１７中のII−II′線に沿った断面図である。
【図１９】本発明のさらに他の実施形態によるカラー電子ペーパ表示装置を示す平面図である。
【図２０】図１９中のIII-III′線に沿った断面図である。
【図２１】図１９のカラー電子ペーパ表示装置の一変形例を示す図面である。
【図２２】図１９のカラー電子ペーパ表示装置の他の変形例を示す図面である。
【図２３】図２０のカラー電子ペーパ表示装置の一変形例を示す図面である。
【図２４】図２０のカラー電子ペーパ表示装置の他の変形例を示す図面である。
【図２５】図１９のカラー電子ペーパ表示装置のさらに他の変形例を示す図面である。
【図２６】図２５中のIV−IV′線に沿った断面図である。
【発明を実施するための形態】
【００７６】
本発明における前記のならびにその他の目的と新規な特徴は、本明細書の記述および添付図面から明らかになるであろう。次に示される各実施の形態は当業者にとって本発明の思想が十分に伝達されることができるようにするために例として挙げられるものである。従って、本発明は以下に示している各実施の形態に限定されることなく他の形態で具体化されることができる。そして、図面において、装置のサイズ及び厚さなどは便宜上誇張して表現されることができる。明細書全体に渡って同じ参照符号は同じ構成要素を示している。
【００７７】
本明細書で使われた用語は、実施形態を説明するためのもので、本発明を制限しようとするのではない。本明細書において、単数形は文言で特別に言及しない限り複数形も含む。明細書で使われる「含む」及び／又は「備える」とは、言及された構成要素、ステップと、動作及び／又は素子とともに一つ以上の他の構成要素、ステップと、動作及び／又は素子の存在または追加することを排除しない。
【００７８】
また、本明細書で記述する実施形態は、本発明の理想的な例示である断面図及び／又は平面図を参考にして説明するものである。図面において、膜及び領域の厚さは技術的内容の効果的な説明のために誇張されたものである。従って、製造技術及び／又は許容誤差などにより例示図の形態が変形され得る。従って、本発明の実施形態は示された特定形態に制限されるものではなく、製造工程によって生じる形態の変化も含むものである。例えば、直角のエッチング領域は丸み形態または所定の曲率を有する形態であってもよい。従って、図面に例示された領域は概略的な特性を有し、図面で例示された領域の形状は素子の領域の特定形態を例示するためのもので、発明の範囲を制限するためのものではない。
【００７９】
以下、添付図面を参照して、本発明の好適な実施の形態によるカラー電子ペーパ表示装置について説明すれば、次のとおりである。
【００８０】
図１は、本発明の一実施形態によるカラー電子ペーパ表示装置を示す平面図であり、図２は、図１中のI−I′線に沿った断面図である。そして、図３は顔料の反射率を示す図面である。
【００８１】
図１及び図２を参照すると、本発明の一実施形態によるカラー電子ペーパ表示装置１００は、ベース１１０と、着色材料１２０と、電極部１３０とを含む。ここで、図１では便宜上、前記電極部１３０は示されていない。
【００８２】
前記ベース１１０は、前記カラー電子ペーパ表示装置１００の構成を支持する。例えば、前記ベース１１０は、プレート１１２及び隔壁１１４を有することができる。前記プレート１１２は、前記着色材料１２０を支持する基板（Ｓｕｂｓｔｒａｔｅ）であってもよい。一例として、前記プレート１１２は銅（Ｃｕ）及び銀（Ａｇ）のような金属物質からなる金属板であってもよい。他の例として、プレート１１２は、プラスチック及びガラス材質のうちいずれか一つからなる絶縁板であってもよい。
【００８３】
前記隔壁１１４は、前記プレート１１２上で前記着色材料１２０を区切る。例えば、前記隔壁１１４は前記着色材料１２０を取り囲むように、前記プレート１１２から上方向に延びる構造を有することができる。これに加えて、前記隔壁１１４は、前記着色材料１２０を上方向に露出させた構造を有することができる。このような構造の前記隔壁１１４によって、前記ベース１１０は開けられた上部、側面及び下面によって画定された複数のキャビティ１１６を有することになる。一例として、前記キャビティ１１６は、異なるサイズを有する、第１のキャビティ１１７、第２のキャビティ１１８及び第３のキャビティ１１９を備えることができる。前記第１のキャビティ１１７は、前記第２のキャビティ１１８に比べて大きな直径を有し、前記第２のキャビティ１１８は、前記第３のキャビティ１１９に比べて大きな直径を有する。前記第１〜第３のキャビティ１１７、１１８、１１９の各々は、前記着色材料１２０に相応の横断面を有する。これにより、前記第１のキャビティ１１７は、前記第２のキャビティ１１８に比べて大きな容積を有し、前記第２のキャビティ１１８は、前記第３のキャビティ１１９に比べて大きな容積を有する。
【００８４】
前記着色材料１２０は、前記プレート１１２上で前記隔壁１１４により区切られて配置される。一例として、前記着色材料１２０は、前記隔壁１１４により区切られた第１の電子ボール１２２、第２の電子ボール１２４及び第３の電子ボール１２６を備えることができる。前記第１〜第３の電子ボール１２２、１２４、１２６の各々は、ほぼ球（Ｓｐｈｅｒｅ）形状を有することができる。前記第１の電子ボール１２２は、前記第２の電子ボール１２４に比べて大きな直径を有し、前記第２の電子ボール１２４は、前記第３の電子ボール１２６に比べて大きな直径を有することができる。前記第１〜第３の電子ボール１２２、１２４、１２６は、前記第１〜第３のキャビティ１１７、１１８、１１９に順に配置される。このような前記第１〜第３の電子ボール１２２、１２４、１２６は、図１のように、前記ベース１１０の前記プレート１１２上で異なる占有面積を有するように配置される。
【００８５】
前記第１〜第３の電子ボール１２２、１２４、１２６の各々は、異なる顔料を有する半球からなることができる。また、前記第１〜第３の電子ボール１２２、１２４、１２６の各々は、異なる電荷に帯電（ｅｌｅｃｔｒｉｆｉｃａｔｉｏｎ）された半球からなる。例えば、前記第１の電子ボール１２２は、青半球１２２ａ及び該青半球１２２ａと異なる電荷に帯電された黒半球１２２ｂとから成る。前記第２の電子ボール１２４は、黄半球１２４ａ及び該黄半球１２４ａと異なる電荷に帯電された黒半球１２４ｂとから成る。そして、前記第３の電子ボール１２６は、赤半球１２６ａ及び該赤半球１２６ａと異なる電荷に帯電された黒半球１２６ｂとから成る。前記青半球１２２ａは青色（または、空色）系列の顔料を含み、前記黄半球１２４ａは黄系列の顔料を含み、前記赤半球１２６ａは赤色系列の顔料を含むことができる。そして、前記黒半球１２２ｂ、１２４ｂ、１２６ｂは黒色系列の顔料を含むことができる。また、これらの青半球１２２ａ、黄半球１２４ａ及び赤半球１２６ａは、負電荷を有するように帯電され、黒半球１２２ｂ、１２４ｂ、１２６ｂは正電荷を有するように帯電される。この場合、前記黒半球１２２ｂ、１２４ｂ、１２６ｂは、前記青半球１２２ａ、黄半球１２４ａ及び赤半球１２６ａに比べて相対的に高い光吸収率を有することができる。これに反し、前記青半球１２２ａ、黄半球１２４ａ及び赤半球１２６ａは、前記黒半球１２２ｂ、１２４ｂ、１２６ｂに比べて高い光反射率を有することができる。
【００８６】
一方、前記第１〜第３の電子ボール１２２、１２４、１２６は、互いに同じ反射量を有するように調節できる。詳しくは、図３のように、顔料はその種類別に異なる反射率を有する。即ち、赤色系列の顔料２は黄系列の顔料４に比べて概ね相対的に高い反射率を有し、青色系列の顔料６は前記黄系列の顔料４に比べて概ね相対的に低い反射率を有する。前記着色材料１２０のサイズを顔料の反射率に反比例するように形成することにより、前記第１〜第３の電子ボール１２２、１２４、１２６が互いに同じ反射量を有するように調節できる。したがって、相対的に高い反射率の顔料を有する電子ボールが相対的に小さいサイズを有するように調節することによって、異なる顔料を有する電子ボールの各々の反射量を同一にすることができる。即ち、前記青半球１２２ａを有する前記第１の電子ボール１２２は、前記黄半球１２４ａを有する第２の電子ボール１２４に比べて大きいサイズを有するように調節され、前記第２の電子ボール１２４は、前記赤半球１２６ａを有する第３の電子ボール１２６に比べて大きいサイズを有するように調節される。
【００８７】
また、前記着色材料１２０は、前記第１〜第３の電子ボール１２２、１２４、１２６間の間隔が最小化される平面的配置を有するように付与されることができる。先に詳述の通り、前記第１〜第３の電子ボール１２２、１２４、１２６は異なる直径を有するので、該第１〜第３の電子ボール１２２、１２４、１２６は前記ベース１１０上で異なる占有面積を有することになる。これにより、前記第１〜第３の電子ボール１２２、１２４、１２６間には間隔があるようになる。しかしながら、このような間隔が不均一だったり大きくなるほど、表示装置の鮮明度、均一度及び色表現力などが低下することがある。従って、前記第１〜第３の電子ボール１２２、１２４、１２６間の間隔を最小化することができる前記第１〜第３の電子ボール１２２、１２４、１２６の平面的配置が必要となる。一例として、図１のように、前記一つのセル（Ｃ内の前記第１〜第３の電子ボール１２２、１２４、１２６の各中心を結ぶ線１０が一つの三角形をなすように、前記第１〜第３の電子ボール１２２、１２４、１２６を平面的に配置することができる。前記線１０がなす三角形は正三角形及び多様な形態の直三角形を全て含むことができる。また、前記ベース１１０上で前記第１〜第３の電子ボール１２２、１２４、１２６間の間隔が最小化されるように、前記セル（Ｃ）を繰返して配置してもよい。即ち、前記セル（Ｃ）は、第１の方向ｘ及び該第１の方向ｘに概ね垂直な第２の方向ｙに沿って反復的なパターンの形態で配置されてもよい。詳しくは、前記セル（Ｃ）は、第１のパターンの第１のセル（Ｃ−１）と、該第１のセル（Ｃ−１）に対して１８０°回転した構造を有する第２のセル（Ｃ−２）とから成る。前記第１のセル（Ｃ−１）及び前記第２のセル（Ｃ−２）は、前記第１の方向ｘに沿って交互に繰返して配置されることができる。これに加えて、前記第１のセル（Ｃ−１）及び前記第２のセル（Ｃ−２）は、前記第２の方向ｙに沿って繰返して配置されることができる。
【００８８】
また、前記着色材料１２０は、所定の蛍光顔料（ｆｌｕｏｒｅｓｃｅｎｃｅｐｉｇｍｅｎｔ）をさらに含むことができる。該蛍光顔料は紫外線を吸収し、一定の色を発現させる物質であってもよい。前記蛍光顔料は、一つの電子ボールをなす半球のうちいずれか一つに付与されることができる。詳しくは、前記蛍光顔料は、前記一つの電子ボールをなす半球のうち相対的に高い反射率を有する半球に付与されることができる。例えば、前記第１の電子ボール１２２の青半球１２２ａには青色系列の蛍光顔料（以下、青蛍光顔料１２２ｃ）が付与されることができる。該青蛍光顔料１２２ｃは、タングステン酸−カルシウム（ｔｕｎｇｓｔｅｎ  ａｃｉｄ  ｃａｌｃｉｕｍ；ＣａＷＯ４）及びタングステン酸−マグネシウム（ｔｕｎｇｓｔｅｎ  ａｃｉｄ  ｍａｇｎｅｓｉｕｍ；ＭｇＷＯ４）のうち少なくともいずれか一つを含むことができる。前記第２の電子ボール１２４の黄半球１２４ａには、黄系列の蛍光顔料（以下、黄蛍光顔料１２４ｃ）が付与されることができる。該黄蛍光顔料１２４ｃは、マンガン（Ｍｎ）入り硫化亜鉛（ＺｎＳ）、シ.アイ.アシッドイエロー（Ｃ．Ｉ．ＡｃｉｄＹｅ１１ｏｗ）、シ.アイ.アシッドオレンジ（Ｃ．Ｉ．ＢａｓｉｃＯｒａｎｇｅ）及びシ.アイ.アシッドレッド（Ｃ．Ｉ．ＡｃｉｄＲｅｄ）のうち少なくともいずれか一つを含むことができる。前記第３の電子ボール１２６の赤半球１２６ａには、赤色系列の蛍光顔料（以下、赤蛍光顔料１２６ｃ）が付与されることができる。該赤蛍光顔料１２６ｃは、シ.アイ.アシッドレッド（Ｃ．Ｉ．ＡｃｉｄＲｅｄ）、ビスマス（Ｂｉ）入り硫化亜鉛（ＺｎＳ）、ケイ酸カドミウム（ＣｄＳｉＯ２-Ｍｎ）及びホウ酸カドミウム（ＣｄＢ２Ｏ５）のうち少なくともいずれか一つを含むことができる。前記着色材料１２０が緑色系列の半球を有する電子ボールを含む場合、前記緑色半球には緑色系列の蛍光顔料が付与されることができる。前記緑色系列の蛍光顔料としては、銅（Ｃｕ）入り硫化亜鉛（ＺｎＳ）、ケイ酸亜鉛（ＺｎＳｉＯ３-Ｍｎ）、エオシン（ｅｏｓｉｎ）及びフルオレセイン（ｆｌｕｏｒｅｓｃｅｉｎ）のうち少なくともいずれか一つが挙げられる。または、前記着色材料１２０が紫色系列の半球を有する電子ボールを含む場合、前記紫色半球には紫色系列の蛍光顔料が付与されることができる。前記紫色系列の蛍光顔料としては、銀（Ａｇ）入り硫化亜鉛（ＺｎＳ）が挙げられる。一方、前記着色材料１２０をなす半球のうち相対的に低い反射率を有する半球には、前記蛍光顔料が添加されない。即ち、前記第１〜第３の電子ボール１２２、１２４、１２６の各々の黒半球１２２ｂ、１２４ｂ、１２６には前記蛍光顔料が添加されない。前述のような第１〜第３の電子ボール１２２、１２４、１２６は、前記青半球１２２ａ、黄半球１２４ａ及び赤半球１２６ａが前記青蛍光顔料１２２ｃ、黄蛍光顔料１２４ｃ及び赤蛍光顔料１２６ｃにより前記黒半球１２２ｂ、１２４ｂ、１２６ｂに比べて相対的に反射率が増加した構造を有することができる。
【００８９】
前記電極部１３０は光透過性を有する透明電極であってもよい。該電極部１３０は、前記ベース１１０の一側に配置された下部電極１３２と、該ベース１１０の他側に配置された上部電極１３４とを含む。該下部電極１３２は、第１の電極１３２ａ、第２の電極１３２ｂ及び第３の電極１３２ｃを含む。前記第１の電極１３２ａは、前記第１の電子ボール１２２に対応するように配置され、前記第２の電極１３２ｂは、前記第２の電子ボール１２４に対応するように配置され、前記第３の電極１３２ｃは、前記第３の電子ボール１２６に対応するように配置される。前記上部電極１３４は、前記第１〜第３の電子ボール１２２、１２４、１２６に全て対応するように配置される。例えば、前記上部電極１３４は、前記ベース１１０の全面に対向する電極板の形態で設けられることができる。
【００９０】
前述のような電極部１３０は、前記第１〜第３の電子ボール１２２、１２４、１２６を前記キャビティ１１６内で回転させることができる。一例として、前記下部電極１３２に負電極を印加し、該上部電極１３４に正電極を印加する場合、青半球１２２ａ、黄半球１２４ａ及び赤半球１２６ａが前記上部電極１３４に向き、前記黒半球１２２ｂ、１２４ｂ、１２６ｂは前記第１の電極１３２ａに向くように、前記第１〜第３の電子ボール１２２、１２４、１２６は回転することになる。これと反対に、前記下部電極１３２に正電極を印加し、前記上部電極１３４に負電極を印加する場合、青半球１２２ａ、黄半球１２４ａ及び赤半球１２６ａが前記下部電極１３２に向き、前記黒半球１２２ｂ、１２４ｂ、１２６ｂが前記上部電極１３４に向くように、前記第１〜第３の電子ボール１２２、１２４、１２６は回転することになる。このような方式で、前記電極部１３０は前記第１〜第３の電子ボール１２２、１２４、１２６を選択的に切り換えることができ、このような前記第１〜第３の電子ボール１２２、１２４、１２６の切り換え動作により、外部に映像が表示されるようになる。一方、前記第１〜第３の電子ボール１２２、１２４、１２６の効率的な回転のために、前記キャビティ１１６に所定の誘電液（図示せず）が満たされることができる。該誘電液は光透過性物質であってもよい。例えば、該誘電液は、ポリアクリル系樹脂、ポリウレタンアクリレート（ＰＵＡ）系樹脂及びポリジメチルシロキサン（ＰＤＭＳ）系樹脂のうち少なくともいずれか一つであってもよい。前記着色材料１２０は、前記誘電液により前記キャビティ１１６内で浮遊した状態で配置されることができる。そのため、前記誘電液は前記第１〜第３の電子ボール１２２、１２４、１２６の動作を容易にすることができる。
【００９１】
上述した構造のカラー電子ペーパ表示装置１００は、各々が同じ反射率を有するように、異なるサイズに調節された第１〜第３の電子ボール１２２、１２４、１２６を備えることができる。これにより、本発明によるカラー電子ペーパ表示装置１００は着色材料１２０の反射量を均一にして、白色をより純白色に近く表現することができ、これに加えて鮮明度、色表現力及び明るさを向上することができる。
【００９２】
本発明の一実施形態によるカラー電子ペーパ表示装置１００は、異なるサイズを有する第１〜第３の電子ボール１２２、１２４、１２６を備え、これらの第１〜第３の電子ボール１２２、１２４、１２６間の間隔が最小化されるように、該第１〜第３の電子ボール１２２、１２４、１２６を平面的に配置させた構造を有することができる。これにより、本発明によるカラー電子ペーパ表示装置１００は、白色をより純白色に近く表現すると共に、鮮明度、色表現力及び明るさを向上することができる。
【００９３】
また、本発明の一実施形態によるカラー電子ペーパ表示装置１００は、紫外線を吸収すれば所定の色を発現する蛍光顔料が添加された第１〜第３の電子ボール１２２、１２４、１２６を備え、前記着色材料１２０の反射率を向上させることができる。これにより、本発明によるカラー電子ペーパ表示装置１００は、第１〜第３の電子ボール１２２、１２４、１２６の反射率が増加し、白黒対照比、鮮明度、色表現力及び明るさを向上させることができる。
【００９４】
続いて、図４〜図９ｂを参照して、本発明の一実施形態によるカラー電子ペーパ表示装置の製造過程を詳細にする。ここで、先に詳述したカラー電子ペーパ表示装置１００に対し重複する内容は省略または簡略化する。
【００９５】
図４は、本発明の一実施形態によるカラー電子ペーパ表示装置の製造方法を示すフローチャートである。図５ａ〜図９ａは、本発明の一実施形態によるカラー電子ペーパ表示装置の製造過程を説明するための図面で、図５ｂ〜図９ｂは、図５a〜図９ａ中のI−I′線に沿った断面図である。
【００９６】
図４、図５ａ及び図５ｂを参照して、異なるサイズのキャビティ１１６を有するベース１１０を製造する（Ｓ１１０）。例えば、前記ベース１１０を製造するステップは、予備ベースを準備するステップと、該予備ベースに第１〜第３のキャビティ１１７、１１８、１１９を形成するステップとを含むことができる。一例として、前記キャビティ１１６を形成するステップは、前記予備ベースに対してフォトレジストエッチング工程を行ってなされることができる。他の例として、前記キャビティ１１６を形成するステップは、前記予備ベースに対してレーザドリル加工工程及び機械的ドリル加工工程を行ってなされることができる。これにより、プレート１１２と、該プレート１１２から上方向に延びて前記キャビティ１１６を画定する隔壁１１４とによってなされた前記ベース１１０が製造される。一方、前記キャビティ１１６は、図２のように、異なる深さを有する第１〜第３のキャビティ１１７、１１８、１１９を含む。そのため、前記第１〜第３のキャビティ１１７、１１８、１１９は異なるフォトレジストエッチング工程を順に行って各々が形成される。または、前記第１〜第３のキャビティ１１７、１１８、１１９は、異なるレーザドリル加工工程または機械的ドリル加工工程を順に行って、各々が形成されることができる。
【００９７】
図４を参照して、着色材料１２０をキャビティ１１６に自己整列（Ｓｅｌｆ-ａｌｉｇｎｍｅｎｔ）させ、ベース１１０上に着色材料１２０を配置する（Ｓ１２０）。例えば、図６ａ及び図６ｂを参照して、最も大きなサイズを有する第１の電子ボール１２２を前記ベース１１０上に供給する。前記第１の電子ボール１２２は、前記第１のキャビティ１１７に比べて小さな直径を有する一方、前記第２及び第３のキャビティ１１８、１１９に比べて大きな直径を有することができる。これにより、前記第１の電子ボール１２２は、隔壁１１４により案内されて前記第１のキャビティ１１７にのみ選択的に自己整列されることによって、前記第１のキャビティ１１７の内部に進入することができる。図７ａ及び図７ｂを参照して、前記第２の電子ボール１２４をベース１１０上に供給することができる。前記第２の電子ボール１２４は、前記第１及び第２のキャビティ１１７、１１８に比べて小さな直径を有する一方、前記第３のキャビティ１１９に比べて大きな直径を有することができる。この時、前記第１のキャビティ１１７には前記第１の電子ボール１２２が配置されているので、前記第２の電子ボール１２４は前記隔壁１１４により案内されて前記第２のキャビティ１１８にのみ選択的に自己整列されることによって、前記第２のキャビティ１１８の内部に進入することになる。その後、図８ａ及び図８ｂを参照して、前記第３の電子ボール１２６をベース１１０上に供給することができる。前記第３の電子ボール１２６は、前記第１〜第３のキャビティ１１７、１１８、１１９に比べて小さな直径を有することができる。この時、前記第１及び第２のキャビティ１１７、１１８には第１及び第２の電子ボール１２２、１２４が配置されているので、前記第３の電子ボール１２６は前記隔壁１１４により案内されて前記第３のキャビティ１１９にのみ自己整列されることによって、前記第３のキャビティ１１９の内部に進入することになる。
【００９８】
図４、図９ａ及び図９ｂを参照して、ベース１１０上に電極部１３０を形成する（Ｓ１３０）。前記電極部１３０を形成するステップは、前記ベース１１０の一側に下部電極１３２を形成するステップと、前記ベース１１０の他側に上部電極１３４を形成するステップとを含むことができる。前記下部電極１３２を形成するステップは、前記第１の電子ボール１２２に対応する第１の電極１３２ａを形成するステップと、前記第２の電子ボール１２４に対応する第２の電極１３４ａを形成するステップと、前記第３の電子ボール１２６に対応する第３の電極１３６ａを形成するステップとを含むことができる。そして、前記上部電極１３４を形成するステップは、前記ベース１１０の他側で、前記第１〜第３の電子ボール１２２、１２４、１２６に対応する電極板を形成するステップを含むことができる。
【００９９】
前述のように、本発明の一実施形態によるカラー電子ペーパ表示装置の製造方法によれば、異なる色相の第１〜第３の電子ボール１２２、１２４、１２６が同じ反射量を有するように、異なるサイズに調節された第１〜第３の電子ボール１２２、１２４、１２６を備えるカラー電子ペーパ表示装置１００を製造することができる。これにより、本発明によるカラー電子ペーパ表示装置の製造方法によれば、着色材料１２０の反射量が均一で、色鮮明度、色表現力及び明るさの特性を向上したカラー電子ペーパ表示装置１００を製造することができる。
【０１００】
本発明の一実施形態によるカラー電子ペーパ表示装置の製造方法は、異なるサイズを有する第１〜第３の電子ボール１２２、１２４、１２６を異なるサイズを有する第１〜第３のキャビティ１１７、１１８、１１９に自己整列させて順に配置することができる。これにより、本発明によるカラー電子ペーパ表示装置の製造方法は、電子ボールを既に設定された位置に効果的に配置させ、電子ペーパ表示装置の製造効率及び精度を向上させることができる。
【０１０１】
また、本発明の一実施形態によるカラー電子ペーパ表示装置の製造方法は、異なるサイズの第１〜第３の電子ボール１２２、１２４、１２６を備え、前記第１〜第３の電子ボール１２２、１２４、１２６間の間隔を最小化する平面的配列を有するように、前記着色材料１２０を配置することができる。これにより、本発明によるカラー電子ペーパ表示装置の製造方法によれば、着色材料の反射量が均一度、色鮮明度、色表現力及び明るさの特性を向上したカラー電子ペーパ表示装置１００を製造することができる。
【０１０２】
続いて、本発明の変形例によるカラー電子ペーパ表示装置の製造過程を詳細に説明する。ここで、先に詳述した本発明の一実施形態によるカラー電子ペーパ表示装置の製造過程と重複する内容は省略または簡略化する。
【０１０３】
図１０は、本発明の変形例によるカラー電子ペーパ表示装置の製造方法を示すフローチャートである。図１１ａ〜図１１ｃは、本発明の変形例によるカラー電子ペーパ表示装置の製造過程を説明するための図面である。
【０１０４】
図１０及び図１１ａを参照して、予備ベース１０８を準備する（Ｓ２１０）。例えば、前記予備ベース１０８を準備するステップは、概ねプレート形状を有する光透過性プレートを準備するステップを含むことができる。
【０１０５】
前記予備ベース１０８の下部に下部電極１３２を形成する（Ｓ２２０）。前記下部電極１３２を形成するステップは、第１〜第３の電極１３２ａ、１３２ｂ、１３２ｃを形成するステップを含むことができる。前記下部電極１３２は前記予備ベース１０８を支持する支持体に用いられる。
【０１０６】
図１０及び図１１ｂを参照して、予備ベース１０８に異なるサイズのキャビティ１１６を形成し、ベース１１０を形成する（Ｓ２３０）。例えば、前記ベース１１０を形成するステップは、前記予備ベース１０８に第１のキャビティ１１７と、該第１のキャビティ１１７に比べて小さなサイズの第２のキャビティ１１８と、該第２のキャビティ１１９に比べて小さなサイズの第３のキャビティ１１９とを形成するステップを含むことができる。これにより、プレート１１２と、該プレート１１２から上方向に延びて前記キャビティ１１６を画定する隔壁１１４とを有する前記ベース１１０が製造される。一方、下部電極１３２は前記キャビティ１１６を形成する工程、例えば、エッチング工程及びドリル加工工程時において、該予備ベース１３２を支持することができる。
【０１０７】
着色材料１２０を前記キャビティ１１６に自己整列させ、前記キャビティ１１６に該着色材料１２０を配置する（Ｓ２４０）。前記着色材料１２０を配置するステップは、先に図６ａ〜図８ｂを参照して説明した着色材料１２０の配置する技術と概ね同じ方式で進行されることができる。
【０１０８】
図１０及び図１１ｅを参照して、ベース１１０の上部に上部電極１３４を形成する（Ｓ２５０）。前記上部電極１３４を形成するステップは、前記ベース１１０の上部に前記第１〜第３の電子ボール１２２、１２４、１２６に全て対応する電極板を形成するステップを含むことができる。これにより、前記ベース１１０の下部及び上部に各々配置される下部電極１３２及び上部電極１３４を備える電極部１３０が形成されることができる。
【０１０９】
上述した本発明の変形例による電子ペーパ表示装置の製造方法は、前記予備ベース１０８に前記キャビティ１１６を形成する前に、前記下部電極１３２を前記予備ベース１０８の下部に配置することができる。そのため、前記予備ベース１０８に前記キャビティ１１６を形成する過程で、前記下部電極１３２は前記予備ベース１０８を支持し、前記予備ベース１０８の損傷、または前記キャビティ１１６の形状または形成位置に誤りが発生するのを防止することができる。
【０１１０】
以下、本発明の一実施形態によるカラー電子ペーパ表示装置の多様な変形例を詳細に説明する。ここで、先に詳述した本発明の一実施形態によるカラー電子ペーパ表示装置及びその製造方法に対して重複する内容は省略または簡略化する。
【０１１１】
図１２は、図１のカラー電子ペーパ表示装置の一変形例を示す図面である。図１２を参照して、本発明の一変形例によるカラー電子ペーパ表示装置１００ａは、図１のカラー電子ペーパ表示装置１００に比べて異なる配置を有する着色材料１２０を備える。例えば、前記着色材料１２０は一つのセル（Ｃ１）をなす第１〜第３の電子ボール１２２、１２４、１２６を備えることができる。前記第１〜第３の電子ボール１２２、１２４、１２６の各中心を結ぶ線１２は三角形をなすことができる。前記第１の電子ボール１２２は、前記第１の方向ｘに沿って概ね一列に配置されることができる。また、前記第２及び第３の電子ボール１２４、１２６は、前記第１の電子ボール１２２と行（ｒｏｗ）を異ならせて、前記第１の方向ｘに沿って交互に配置されることができる。これにより、前記セル（Ｃ１）は第１のセル（Ｃ１-１）と、該記第１のセル（Ｃ１-１）に対して１８０°回転した形態の第２のセル（Ｃ２-２）とから成る。前記第１のセル（Ｃ１-１）は第１の方向ｘ１に沿って繰返して配置されることができる。前記第１の方向ｘ１に垂直な第２の方向ｙには、前記第１のセル（Ｃ１-１）と前記第２のセル（Ｃ１-２）とが交互に繰返して配置されることができる。
【０１１２】
図１３は、図１のカラー電子ペーパ表示装置の他の変形例を示す図面である。図１３を参照して、本発明の他の変形例によるカラー電子ペーパ表示装置１００ｂは、図１のカラー電子ペーパ表示装置１００に比べて異なる着色材料１２０の配置を有することができる。例えば、前記着色材料１２０は一つのセル（Ｃ２）をなす第１〜第３の電子ボール１２２、１２４、１２６を備えることができる。前記第１〜第３の電子ボール１２２、１２４、１２６の各中心を結ぶ線１４は三角形をなすことができる。ここで、前記線１４がなす三角形は概ね直角三角形であってもよい。これにより、前記第１の電子ボール１２２と前記第２の電子ボール１２４との各中心を結ぶ線と、前記第１の電子ボール１２２と前記第３の電子ボール１２６との各中心を結ぶ線とは、概ね直角をなすことができる。前記第１及び第３の電子ボール１２２、１２６は第１の方向ｘに沿って交互に繰返して配置されることができる。また、前記第２の電子ボール１２４は、前記第１及び第３の電子ボール１２２、１２６と行を異ならせて、前記第１の方向ｘに沿って概ね一列に配置されることができる。これにより、前記セル（Ｃ２）は、第１のセル（Ｃ２-１）と、該第１のセル（Ｃ２-１）に対して１８０°回転した構造を有する第２のセル（Ｃ２-２）とから成る。前記第１のセル（Ｃ２-１）は、第１の方向ｘに沿って反復的なパターンに配置されることができる。前記第１の方向ｘ１に垂直な第２の方向ｙには、前記第１のセル（Ｃ２-１）と前記第２のセル（Ｃ２-２）とが交互に繰返して配置されることができる。ここで、前記第１のセル（Ｃ２-１）と前記第２のセル（Ｃ２-２）とは互いに噛み合う形態（ｉｎｔｅｒｄｉｇｉｔｅｄ  ｃｏｎｆｉｇｕｒａｔｉｏｎ）を有するように配置され、前記第１のセル（Ｃ２-１）と前記第２のセル（Ｃ２-２）との間の間隔を減少させることができる。
【０１１３】
図１４は、図１のカラー電子ペーパ表示装置の他の変形例を示す図面である。図１４を参照して、本発明の他の変形例によるカラー電子ペーパ表示装置１００ｃは、図１のカラー電子ペーパ表示装置１００に比べて異なる着色材料１２０の配置を有することができる。例えば、前記着色材料１２０は一つのセル（Ｃ３）をなす第１〜第３の電子ボール１２２、１２４、１２６を備えることができる。前記一つのセル（Ｃ３）に配置された前記第１〜第３の電子ボール１２２、１２４、１２６の中心は一つの直線１６上に置かれる。前記セル（Ｃ３）は、第１のセル（Ｃ３-１）と、該第１のセル（Ｃ３-１）に対して１８０°回転した形態の第２のセル（Ｃ３-２）とから成る。前記第１のセル（Ｃ３-１）と前記第２のセル（Ｃ３-２）とは第１の方向ｘ１に沿って交互に配置されることができる。これに加えて、前記第１及び第２のセル（Ｃ３-１）、（Ｃ３-２）は、前記第１の方向ｘに概ね垂直な第２の方向ｙに沿って繰返して配置されることができる。
【０１１４】
図１５は、図２のカラー電子ペーパ表示装置の一変形例を示す図面である。図１５を参照して、カラー電子ペーパ表示装置１００ｄは、図２のカラー電子ペーパ表示装置１００に比べて異なる構造の着色材料１２０ａを有することができる。詳しくは、同じ系列の色相であっても、顔料の種類に応じて反射率が相違することがある。異種色相を有する電子ボールを用いる場合、異種色相の組合わせにより全体電子ボールの反射量が異なることがある。また、蛍光顔料の添加率によっても、前記電子ボールの反射量が異なることがある。これを考慮して、前記カラー電子ペーパ表示装置１００ｄは、前記カラー電子ペーパ表示装置１００に比べて異なる色相及び蛍光顔料の配置を有する電子ボールを有することができる。一例として、前記カラー電子ペーパ表示装置１００ｄは、第１〜第３のキャビティ１１７、１１８、１１９を有するベース１１０と、前記第１〜第３のキャビティ１１７、１１８、１１９に順に配置された第４〜第６の電子ボール１２３、１２５、１２７とを有することができる。前記第４の電子ボール１２３は、異なる電荷に帯電された赤半球１２３ａ及び白半球１２３ｂとから成る。前記第５の電子ボール１２５は、異なる電荷に帯電された緑半球１２５ａと白半球１２５ｂとから成る。そして、前記第６のボール１２７は、異なる電荷に帯電された青半球１２７ａ及び白半球１２７ｂから成る。前記第４〜第６の電子ボール１２３、１２５、１２７は、第１〜第３の電極１３２ａ、１３２ｂ、１３２ｃから成る下部電極１３２と上部電極１３４とを備える電極部１３０により選択的に電圧を印加されて、独立して動作することができる。一方、前記第４_第６の電子ボール１２３、１２５、１２７は、蛍光顔料１２３ｃ、１２５ｃ、１２７ｃをさらに含むことができる。例えば、前記蛍光顔料１２３ｃ、１２５ｃ、１２７ｃは、前記赤半球１２３ｂ、緑半球１２５ｂ及び青半球１２７ｂに比べて相対的に高い反射率を有する前記白半球１２３ｂ、１２５ｂ、１２７ｂに付与されることができる。前記蛍光顔料１２３ｃ、１２５ｃ、１２７ｃは白系列の蛍光顔料であってもよい。これにより、前記白半球１２３ｂ、１２５ｂ、１２７ｂは前記赤半球１２３ａ、緑半球１２５ａ及び青半球１２７ａに比べて相対的に反射率が増加することになる。また、前記第４〜第６の電子ボール１２３、１２５、１２７の各々の反射量を同一となるように、前記第４〜第６の電子ボール１２３、１２５、１２７のサイズを調節できる。
【０１１５】
前述のような構造のカラー電子ペーパ表示装置１００ｄは、前記赤半球１２３ａ、緑半球１２５ａ及び青半球１２７ａの組合わせにより黒色を具現化することができ、前記白半球１２３ｂ、１２５ｂ、１２７ｂの組合わせにより白色を具現化することができる。また、前記白半球１２３ｂ、１２５ｂ、１２７ｂには蛍光顔料１２３ｃ、１２５ｃ、１２７ｃが付与されることによって、前記赤半球１２３ａ、緑半球１２５ａ及び青半球１２７ａに比べて相対的に反射率が増加することになる。これにより、前記カラー電子ペーパ表示装置１００ｄは、より明るい白色の具現化が可能で、白黒対照比及び鮮明度を向上させることができる。
【０１１６】
図１６は、図２のカラー電子ペーパ表示装置の他の変形例を示す図面である。図１６を参照すると、カラー電子ペーパ表示装置１００ｅは、図２のカラー電子ペーパ表示装置１００に比べて異なる構造のキャビティ１１６ａを有するベース１１０ａを有することができる。例えば、前記カラー電子ペーパ表示装置１００ｅは、第４〜第６のキャビティ１１７ａ、１１８ａ、１１９ａを有するベース１１０ａと、これらの第４〜第６のキャビティ１１７ａ、１１８ａ、１１９ａに順に配置された第１〜第３の電子ボール１２２、１２４、１２６とを有することができる。前記第４〜第６のキャビティ１１７ａ、１１８ａ、１１９ａは、互いに同じ深さを有することができる。前記第１〜第３の電子ボール１２２、１２４、１２６は、第１〜第３の電極１３２ａ、１３２ｂ、１３２ｃから成る下部電極１３２及び上部電極１３４を備える電極部１３０により選択的に電圧を印加されて、独立して動作することができる。
【０１１７】
前述のような構造のカラー電子ペーパ表示装置１００ｅは、同じ深さに設けられた第４〜第６のキャビティ１１７ａ、１１８ａ、１１９ａが形成されたベース１１０ａを有することができる。この場合、前記カラー電子ペーパ表示装置１００ｅは、異なるサイズを有する第１〜第３の電子ボール１２２、１２４、１２６が配置されるキャビティ１１６の形成のための工程を単純化させることができる。例えば、前記第４〜第６のキャビティ１１７ａ、１１８ａ、１１９ａは、一度のフォトレジストエッチング工程によって形成されることができる。または、前記第４〜第６のキャビティ１１７ａ、１１８ａ、１１９ａは、一回のレーザ及び機械的ドリル加工工程によって形成されることができる。
【０１１８】
図１７は、図１のカラー電子ペーパ表示装置の他の変形例を示す図面であり、図１８は、図１７中のII−II′線に沿った断面図である。図１７及び図１８を参照して、本発明の他の変形例によるカラー電子ペーパ表示装置１００ｆは、電気泳動（ｅｌｅｃｔｏｒｐｈｏｒｅｔｉｃ）方式の電子ペーパ構造を有することができる。例えば、前記カラー電子ペーパ表示装置１００ｆは、キャビティ１１６ｂを有するベース１１０ｂと、該キャビティ１１６ｂに配置された着色材料１２０ｂと、電極部１３０とを有することができる。
【０１１９】
前記ベース１１０には、第７〜第９のキャビティ１１７ｂ、１１８ｂ、１１９ｂが形成されることができる。前記第７〜第９のキャビティ１１７ｂ、１１８ｂ、１１９ｂは、概ね四角形の横断面を有することができる。これに加えて、前記第７のキャビティ１１７ｂは、前記第８のキャビティ１１８ｂに比べて大きな容積を有し、前記第８のキャビティ１１８ｂは、前記第９のキャビティ１１９ｂに比べて大きな容積を有することができる。
【０１２０】
前記着色材料１２０ｂは、光透過性流体及び前記光透過性流体に注入された所定の顔料粒子（ｐｉｇｍｅｎｔ  ｐａｒｔｉｃｌｅ）を含む第１〜第３の電気泳動流体１２３′、１２５′、１２７′を含むことができる。前記顔料粒子は、前記第１〜第３の電気泳動流体１２３′、１２５′、１２７′の内部に浮遊（ｆｌｏａｔｉｎｇ）されるように付与されることができる。これらの第１〜第３の電気泳動流体１２３′、１２５′、１２７′は、前記第７〜第９のキャビティ１１７ｂ、１１８ｂ、１１９ｂに順に配置されることができる。これにより、前記第１の電気泳動流体１２３′は、前記第２の電気泳動流体１２５′に比べて大きな容積を有し、前記第２の電気泳動流体１２５′は前記第３の電気泳動流体１２７′に比べて大きな容積を有することができる。前記第１の電気泳動流体１２３′は、異なる電荷に帯電された青粒子１２３ａ′及び黒粒子１２３ｂ′を含むことができる。前記第２の電気泳動流体１２５′は、異なる電荷に帯電された黄粒子１２５ａ′及び黒粒子１２５ｂ′を含むことができる。そして、前記第３の電気泳動流体１２７′は、異なる電荷に帯電された赤色粒子１２７ａ′及び黒粒子１２７ｂ′を含むことができる。一方、前記第１〜第３の電気泳動流体１２３′、１２５′、１２７′の各中心を結ぶ線１８は、概ね三角形をなすことができる。
【０１２１】
また、前記第１〜第３の電気泳動流体１２３′、１２５′、１２７′は、前記光透過性流体に注入された所定の蛍光顔料（ｆｌｕｏｒｅｓｃｅｎｃｅ  ｐｉｇｍｅｎｔ）をさらに含むことができる。前記蛍光顔料は、前記光透過性流体の内部で浮遊されるように付与されることができる。前記第１の電気泳動流体１２３′には、青色系列の蛍光顔料（以下、青蛍光顔料１２３ｃ′）がさらに付与されることができる。前記第２の電気泳動流体１２５′には、黄系列の蛍光顔料（以下、黄蛍光顔料１２５ｃ′）が付与されることができる。前記第３の電気泳動流体１２７′には、赤色系列の蛍光顔料（以下、赤蛍光顔料１２７ｃ′）が付与されることができる。これにより、前記第１〜第３の電気泳動流体１２３′、１２５′、１２７′は、前記黒粒子１２３ｂ′、１２５ｂ′、１２７ｂ′に比べて相対的に反射率が向上した青顔料粒子１２３ａ′、黄顔料粒子１２５ａ′及び赤顔料粒子１２７ａ′を備えることができる。一方、前記蛍光顔料は、前記顔料粒子のうち同じ色相の顔料と同じ極性を有するように帯電されることができる。例えば、前記青蛍光顔料１２３ｃ′、黄蛍光顔料１２５ｃ′及び赤蛍光顔料１２７ｃ′は青顔料粒子１２３ａ′、黄顔料粒子１２５ａ′及び赤顔料粒子１２７ａ′と同じ極性を有するように帯電できる。
【０１２２】
前記電極部１３０は、前記ベース１１０ｂの一側に配置された下部電極１３２と、前記ベース１１０ｂの他側に配置された上部電極１３４とを含む。前記下部電極１３２及び前記上部電極１３４のうちいずれか一つは正電極であり、他の一つは負電極であってもよい。前記下部電極１３２は、第１の電極１３２ａ、第２の電極１３２ｂ及び第３の電極１３２ｃを含む。前記第１の電極１３２ａは前記第１の電気泳動流体１２３′に対応するように配置され、前記第２の電極１３２ｂは前記第２の電気泳動流体１２５′に対応するように配置され、前記第３の電極１３２ｃは前記第３の電気泳動流体１２７′に対応するように配置される。前記上部電極１３４は、前記第１〜第３の電気泳動流体１２３′、１２５′、１２７′に全て対応するように配置される。例えば、前記上部電極１３４は前記ベース１１０の全面に対向する電極板の形態で付与されることができる。
【０１２３】
前述のような電極部１３０は、前記第１〜第３の電気泳動流体１２３′、１２５′、１２７′に選択的に電圧を印加し、前記第１〜第３の電気泳動流体１２３′、１２５′、１２７′を独立して切り換える。例えば、前記第１の電極１３２ａ及び第２の電極１３４ｂに電圧を印加すれば、前記第１の電極１３２ａと同じ極性に帯電された前記第１の電気泳動流体１２３′内の粒子（即ち、前記青顔料粒子１２３ａ′及び前記青蛍光顔料１２３ｃ′）は前記第２の電極１２４に向けて移動することができる。これと同時に、前記第１の電極１３２ａと反対極性に帯電された前記第１の電気泳動流体１２３′内の粒子（即ち、黒粒子１２３ｂ′）は前記第１の電極１３２ａに向けて移動することができる。これにより、前記第１の電極１３２ａ及び前記上部電極１３４に各々電圧を選択的に印加し、前記第１の電気泳動流体１２３′を切り換えることができる。これと同じ方式で、前記電極部１３０は前記第２及び第３の電極１３２ｂ、１３２ｃと前記上部電極１３４とに電圧を選択的に印加し、前記第２及び第３の電気泳動流体１２５′、１２７′を上述の方式で切り換えることができる。
【０１２４】
前述のような構造のカラー電子ペーパ表示装置１００ｆは、第１〜第３の電気泳動流体１２３′、１２５′、１２７′が互いに同じ反射率を有するように、前記第１〜第３の電気泳動流体１２３′、１２５′、１２７′のサイズが調節された構造を有する。これにより、前記カラー電子ペーパ表示装置１００ｆは、異なるサイズを有する第１〜第３の電気永動流体１２３′、１２５′、１２７′を備え、電気泳動方式で駆動される電子ペーパの構造を有することができる。
【０１２５】
また、前記カラー電子ペーパ表示装置１００ｆは、紫外線を吸収すれば、所定の色を発現する蛍光顔料１２３ｃ′、１２５ｃ′、１２７ｃ′が添加された第１〜第３の電気泳動流体１２３′、１２５′、１２７′を備え、前記着色材料１２０ｂの反射率を向上させることができる。これにより、本発明の他の変形例によるカラー電子ペーパ表示装置１００ｆは、第１〜第３の電気泳動流体１２３′、１２５′、１２７′の反射率を増加させ、明るさ及び白黒対照比を向上することができる。
【０１２６】
以下、本発明の他の実施形態によるカラー電子ペーパ表示装置を詳細に説明する。ここで、先に詳述した本発明の一実施形態によるカラー電子ペーパ表示装置に対して重複する内容は省略または簡略化する。
【０１２７】
図１９は本発明の他の実施形態によるカラー電子ペーパ表示装置を示す平面図であり、図２０は図１９中のIII−III′線に沿った断面図である。図１９及び図２０を参照して、本発明の他の実施形態によるカラー電子ペーパ表示装置２００は、ベース２１０と、着色材料２２０と、電極部２３０とを含むことができる。
【０１２８】
前記ベース２１０は、プレート２１２と該前記プレート２１２から上方に延びる隔壁２１４とを有する。該隔壁２１４により、前記ベース２１０は開けられた上部、側面及び下面によって画定された複数のキャビティ２１５を有する。一例として、前記キャビティ２１５は、異なるサイズを有する第１のキャビティ２１６、第２のキャビティ２１７、第３のキャビティ２１８及び第４のキャビティ２１９を含むことができる。前記第１〜第４のキャビティ２１６、２１７、２１８、２１９の各々は、前記着色材料２２０に相応する横断面を有することができる。前記第１〜第４のキャビティ２１６、２１７、２１８、２１９は順に大きいサイズを有することができる。
【０１２９】
前記着色材料２２０は、前記プレート２１２上で前記隔壁２１４により区切られて配置される。例えば、前記着色材料２２０は、前記隔壁２１４により区切られた第１の電子ボール２２２、第２の電子ボール２２４、第３の電子ボール２２６及び第４の電子ボール２２８を含むことができる。前記第１〜第４の電子ボール２２２、２２４、２２６、２２８は、前記第１〜第４のキャビティ２１６、２１７、２１８、２１９に順に配置され、一つのセル（Ｃ４）をなすことができる。これにより、前記第１〜第４の電子ボール２２２、２２４、２２６は、図１７のように、前記ベース２１０に異なる占有面積を有するように配置されることができる。
【０１３０】
前記第１〜第４の電子ボール２２２、２２４、２２６、２２８の各々は、異なる色を有する半球からなる。また、前記第１〜第４の電子ボール２２２、２２４、２２６、２２８の各々は、異なる電荷に帯電された半球からなることができる。例えば、前記第１の電子ボール２２２は、白半球２２２ａ及び黒半球２２２ｂから成り、前記第２の電子ボール２２４は青半球２２４ａ及び黒半球２２４ｂから成り、前記第３の電子ボール２２６は黄半球２２６ａ及び黒半球２２６ｂから成り、前記第４の電子ボール２２８は赤半球２２６ａ及び黒半球２２６ｂとから成る。前記白半球２２２ａ、青半球２２４ａ、黄半球２２６ａ及び赤半球２２８ａは前記黒半球２２２ｂ、２２４ｂ、２２６ｂ、２２８ｂと異なる電荷に帯電される。
【０１３１】
一方、前記第１〜第４の電子ボール２２２、２２４、２２６、２２８は、互いに同じ反射量を有するように調節される。前述のように、顔料は種類別に異なる反射率を有し、着色材料１２０のサイズは顔料の反射率に反比例する。これを考慮して、前述のように、前記第１〜第４の電子ボール２２２、２２４、２２６、２２８が順に大きいサイズを有するようにすることによって、前記着色材料２２０が同じ反射量を有するようにすることができる。
【０１３２】
前記着色材料２２０は、前記第１〜第４の電子ボール２２２、２２４、２２６、２２８間の間隔が最小化される平面的配置を有するように付与される。一例として、図１７のように、前記第１〜第４の電子ボール２２２、２２４、２２６、２２８の各中心を結ぶ線２０が一つの四角形をなすように、前記第１〜第４の電子ボール２２２、２２４、２２６、２２８を平面的に配置することができる。前記線２０がなす四角形には、正方形、長方形、台形、平行四辺形、菱形などが挙げられる。また、前記ベース２１０上で前記第１〜第４の電子ボール２２２、２２４、２２６、２２８間の間隔が最小化されるように、前記セル（Ｃ４）を繰返して配置することができる。例えば、前記セル（Ｃ４）は、第１の方向ｘ及び該第１の方向ｘに概ね垂直な第２の方向ｙに沿って反復的なパターンの形態で配置されることができる。
【０１３３】
また、前記着色材料２２０は、所定の蛍光顔料（ｆｌｕｏｒｅｓｃｅｎｃｅｐｉｇｍｅｎｔ）をさらに含むことができる。例えば、前記蛍光顔料は白半球２２２ａ、青半球２２４ａ、黄半球２２６ａ及び赤半球２２８ａに順に付与された白蛍光顔料２２２ｃ、青蛍光顔料２２４ｃ、黄蛍光顔料２２６ｃ及び赤蛍光顔料２２８ｃを含むことができる。前記蛍光顔料には、シ.アイ.アシッドイエロー（Ｃ．Ｉ.ＡｃｉｄＹｅｌｌｏｗ）、シ.アイ.アシッドオレンジ（Ｃ．Ｉ．ＡｃｉｄＯｒａｎｇｅ）、シ.アイ.アシッドレッド（Ｃ．Ｉ．ａｃｉｄＲｅｄ）、エオシン（ｅｏｓｉｎ）、銅（Ｃｕ）入り硫化亜鉛（ＺｎＳ）、マンガン（Ｍｎ）入り硫化亜鉛（ＺｎＳ）、銀（Ａｇ）入り硫化亜鉛（ＺｎＳ）、ビスマス（Ｂｉ）入り硫化亜鉛（ＺｎＳ）、フルオレセイン（ｆｌｕｏｒｅｓｃｅｉｎ）、タングステン酸−カルシウム（ｔｕｎｇｓｔｅｎ  ａｃｉｄ  ｃａｌｃｉｕｍ；ＣａＷＯ４）、タングステン酸−マグネシウム（ｔｕｎｇｓｔｅｎ  ａｃｉｄ  ｍａｇｎｅｓｉｕｍ；ＭｇＷＯ４）、ケイ酸亜鉛（ＺｎＳｉＯ３-Ｍｎ）、ケイ酸カドミウム（ＣｄＳｉＯ２-Ｍｎ）、ホウ酸カドミウム（ＣｄＢ２Ｏ５）及びハロリン酸カルシウムのうち少なくともいずれか一つが挙げられる。
【０１３４】
前記電極部２３０は光透過性の透明電極であってもよい。前記電極部２３０は、前記ベース２１０の一側に配置された下部電極２３２と、前記ベース２１０の他側に配置された上部電極２３４とを含む。前記下部電極２３２は、第１〜第４の電極２３２ａ、２３２ｂ、２３２ｃ、２３２ｄを含む。前記第１-第３の電極２３２ａ、２３２ｂ、２３２ｃ、２３２ｄは、順に前記第１〜第４の電子ボール２２２、２２４、２２６、２２８に各々対応するように配置される。前記上部電極２３４は、前記ベース１１０に対向する電極板の形態で設けられ、前記第１〜第４の電子ボール２２２、２２４、２２６、２２８に全て対応するように配置される。
【０１３５】
上述した構造のカラー電子ペーパ表示装置２００は、各々が同じ反射率を有するように、異なるサイズに調節された第１〜第４の電子ボール２２２、２２４、２２６、２２８を備える着色材料２２０を含むことができる。前記カラー電子ペーパ表示装置２００は、前記第１〜第４の電子ボール２２２、２２４、２２６、２２８間の間隔が最小化されるように、前記着色材料２２０を平面的に配置させた構造を有することができる。また、前記カラー電子ペーパ表示装置２００は、蛍光顔料２２２c、２２４c、２２６c、２２８cが添加された第１〜第４の電子ボール２２２、２２４、２２６、２２８を備え、前記着色材料２２０の反射率を向上させることができる。これにより、本発明の他の実施形態によるカラー電子ペーパ表示装置２００は、着色材料２２０の反射量を均一にして、白色をより純白色に近く表現すると共に、白黒対照比、鮮明度、色表現力及び明るさを向上することができる。
【０１３６】
続いて、本発明の他の実施形態によるカラー電子ペーパ表示装置の多様な変形例に対して具体的に説明する。ここで、先に説明した本発明の他の実施形態によるカラー電子ペーパ表示装置に対して重複する内容は省略または簡略化する。
【０１３７】
図２１は、図１９のカラー電子ペーパ表示装置の一変形例を示す図面である。図２１を参照して、本発明の一変形例によるカラー電子ペーパ表示装置２００ａは、図１９のカラー電子ペーパ表示装置２００に比べて異なる配置を有する着色材料２２０を備える。例えば、前記着色材料２２０は一つのセル（Ｃ５）をなす第１〜第４の電子ボール２２２、２２４、２２６、２２８を備えることができる。前記第１〜第４の電子ボール２２２、２２４、２２６、２２８の各中心を結ぶ線２２は四角形をなすことができる。前記四角形は概ね菱形状であってもよい。前記第１の電子ボール２２２と前記第４の電子ボール２２８とは、第１の方向ｘに沿って交互に繰返して配置されることができる。前記第２及び第３の電子ボール２２４、２２６は、前記第１及び第４の電子ボール２２２、２２８と行を異ならせて、前記第１の方向ｘに沿って交互に繰返して配置されることができる。前述のような構造のセル（Ｃ５）は、第１のセル（Ｃ５-１）と該第１のセル（Ｃ５-１）に対して１８０°回転した形態の第２のセル（Ｃ５-２）とから成る。前記第１のセル（Ｃ５-１）は、第１の方向ｘ１に沿って反復的なパターンに配置されることができる。該第１の方向ｘ１に垂直な第２の方向ｙには、前記第１のセル（Ｃ５-１）と前記第２のセル（Ｃ５-２）とが交互に繰返して配置されることができる。
【０１３８】
図２２は、図１９のカラー電子ペーパ表示装置の他の変形例を示す図面である。図２２を参照して、本発明の他の変形例によるカラー電子ペーパ表示装置２００ｂは、図１９のカラー電子ペーパ表示装置２００に比べて異なる配置を有する着色材料２２０を備える。一例として、図２０のカラー電子ペーパ表示装置２００ｂの左側領域３２のように、前記着色材料２２０は一つのセル（Ｃ６）をなす第１〜第４の電子ボール２２２、２２４、２２６、２２８を備え、前記第１ー第４の電子ボール２２２、２２４、２２６、２２８の各中心を結ぶ線２４は四角形をなすことができる。前記セル（Ｃ６）は、第１のセル（Ｃ６-１）と該セル（Ｃ６-１）に対して１８０°回転した形態の第２のセル（Ｃ６-２）とから成る。前記第１のセル（Ｃ６-１）は第１の方向ｘ１に沿って繰返して配置されることができる。該第１の方向ｘ１に垂直な第２の方向ｙには前記第１のセル（Ｃ６-１）と前記第２のセル（Ｃ６-２）とが交互に配置されることができる。ここで、前記第１のセル（Ｃ６-１）と前記第２のセル（Ｃ６-２）とは互いに噛み合う配列構造を有するように配置され、前記第１のセル（Ｃ６-１）と前記第２のセル（Ｃ６-２）との間の間隔を減少させることができる。他の例として、図２２のカラー電子ペーパ表示装置２００ｃの右側領域３４のように、前記着色材料２２０は一つのセル（Ｃ７）をなす第１〜第４の電子ボール２２２、２２４、２２６、２２８を備え、前記第１〜第４の電子ボール２２２、２２４、２２６、２２８の各中心は、直線２６に沿って置かれることがある。前記セル（Ｃ７）は、第１のセル（Ｃ７-１）と該セル（Ｃ７-１）に対して１８０°回転した構造を有する第２のセル（Ｃ７-２）とから成る。前記第１のセル（Ｃ７-１）及び前記第２のセル（Ｃ７-２）は、第１の方向ｘ１に沿って交互に繰返して配置されることができる。
【０１３９】
図２３は、図２０のカラー電子ペーパ表示装置の一変形例を示す図面である。図２３を参照して、カラー電子ペーパ表示装置２００ｃは、図２０のカラー電子ペーパ表示装置２００に比べて異なる色相及び蛍光顔料の配置を有する電子ボールからなる着色材料２２０ａを有する。一例として、前記カラー電子ペーパ表示装置２００ｃは、第１〜第４のキャビティ２１６、２１７、２１８、２１９から成るキャビティ２１５を有するベース２１０と、これらの第１〜第４のキャビティ２１６、２１７、２１８、２１９に順に配置された第５〜第８の電子ボール２２３、２２５、２２７、２２９とを有することができる。前記第５の電子ボール２２３は、異なる電荷に帯電された黒半球２２３ａ及び白半球２２３ｂから成る。前記第６の電子ボール２２５は、異なる電荷に帯電された赤半球２２５ａ及び白半球２２５ｂから成る。前記第７の電子ボール２２７は、異なる電荷に帯電された緑半球２２７ａ及び白半球２２７ｂから成る。そして、前記第８の半球２２９は、異なる電荷に帯電された青半球２２９ａ及び白半球２２９ｂから成る。一方、第５〜第８の電子ボール２２３、２２５、２２７、２２９は、蛍光顔料２２３ｃ、２２５ｃ、２２７ｃ、２２９ｃをさらに含むことができる。これらの蛍光顔料２２３ｃ、２２５ｃ、２２７ｃ、２２９ｃは、前記白半球２２３ｂ、２２５ｂ、２２７ｂ、２２５ｂに付与されることができる。前記蛍光顔料は、白系列の蛍光顔料であってもよい。これにより、前記白半球２２３ｂ、２２５ｂ、２２７ｂ、２２９ｂは前記黒半球２２３ａ、赤半球２２５ａ、緑半球２２７ａ及び青半球２２９ａに比べて反射率を向上することができる。また、第５〜第８の電子ボール２２３、２２５、２２７、２２９の各々の反射量が同一となるように、前記着色材料２２０ｂのサイズを調節することができる。このような第５〜第８の電子ボール２２３、２２５、２２７、２２９は、第１〜第４の電極２３２ａ、２３２ｂ、２３２ｃ、２３２ｄから成る下部電極２３２及び上部電極２３４を備える電極部２３０により選択的に電圧を印加され、独立して動作することができる。ここで、前記第５〜第８の電子ボール２２３、２２５、２２７、２２９の反射量は、互いに同一であってもよい。
【０１４０】
前述のような構造のカラー電子ペーパ表示装置２００ｃは、前記黒半球２２３ａ、赤半球２２５ａ、緑半球２２７ａ及び青半球２２９ａの組合わせにより黒色を具現化することができ、前記白半球２２３ｂ、２２５ｂ、２２７ｂ、２２９ｂの組合わせにより白色を具現化することができる。また、前記白半球２２３ｂ、２２５ｂ、２２７ｂ、２２９ｂには、蛍光顔料２２３ｃ、２２５ｃ、２２７ｃ、２２９ｃが付与されることによって、前記黒半球２２３ａ、赤半球２２５ａ、緑半球２２７ａ及び青半球２２９ａに比べて相対的に反射率が増加することになる。これにより、前記カラー電子ペーパ表示装置２００ｃは、より明るい白色の具現化が可能で、白黒対照比及び鮮明度を向上させることができる。
【０１４１】
図２４は、図２０のカラー電子ペーパ表示装置の他の変形例を示す図面である。図２４を参照すると、カラー電子ペーパ表示装置２００ｄは、図２０のカラー電子ペーパ表示装置２００と異なる構造のキャビティ１１６ａを有するベース１１０ａを含む。例えば、前記カラー電子ペーパ表示装置１００ｄは、第５〜第８のキャビティ２１６ａ、２１７ａ、２１８ａ、２１９ａを有するベース２１０ａと、これらの第５〜第８のキャビティ２１６ａ、２１７ａ、２１８ａ、２１９ａに順に配置された第１〜第４の電子ボール２２２、２２４、２２６、２２８とを有することができる。前記第５〜第８のキャビティ２１６ａ、２１７ａ、２１８ａ、２１９ａは、互いに同じ深さを有することができる。前記第１〜第４の電子ボール２２２、２２４、２２６、２２８は、第１〜第４の電極２３２ａ、２３２ｂ、２３２ｃ、２３２ｄから成る下部電極２３２及び上部電極２３４を備える電極部１３０により選択的に電圧を印加されて、独立して動作することができる。
【０１４２】
前述のような構造のカラー電子ペーパ表示装置２００ｄは、同じ深さに形成された第５〜第８のキャビティ２１６ａ、２１７ａ、２１８ａ、２１９ａが形成されたベース２１０ａを有する。この場合、前記カラー電子ペーパ表示装置２００ｄは、異なるサイズを有する第１〜第４の電子ボール２２２、２２４、２２６、２２８が配置されるキャビティ２１６の形成のための工程を単純化することができる。例えば、前記第５〜第９のキャビティ２１６ａ、２１７ａ、２１８ａ、２１９ａは、一度のフォトレジストエッチング工程、レーザドリル加工工程及び機械的ドリル加工工程のうちいずれか一つを行って形成されることができる。
【０１４３】
図２５は、図１９のカラー電子ペーパ表示装置の他の変形例を示す図面であり、図２６は、図２５中のIV−IV′に沿った断面図である。
【０１４４】
図２５及び図２６を参照して、本発明の他の変形例によるカラー電子ペーパ表示装置２００ｅは、電気泳動（ｅｌｅｃｔｏｒｐｈｏｒｅｔｉｃ）方式の電子ペーパ表示装置の構造を有する。例えば、前記カラー電子ペーパ表示装置２００ｅは、キャビティ２１５ｂを有するベース２１０ｂと、該キャビティ１１５ｂに配置された着色材料２２０ｂと、電極部２３０とを有することができる。
【０１４５】
前記ベース１１０には、概ね四角形の横断面を有する第９〜第１２のキャビティ２１６ｂ、２１７ｂ、２１８ｂ、２１９ｂが形成されることができる。これに加えて、前記第９〜第１２のキャビティ２１６ｂ、２１７ｂ、２１８ｂ、２１９ｂは順に大きい容積を有することができる。
【０１４６】
前記着色材料２２０ｂは、光透過性流体及び該光透過性流体に注入された所定の顔料粒子（ｐｉｇｍｅｎｔ  ｐａｒｔｉｃｌｅ）を有する第１〜第４の電気泳動流体２２３′、２２５′、２２７′、２２９′を含む。前記顔料粒子は、前記第１〜第４の電気泳動流体２２３′、２２５′、２２７′、２２９′の内部で浮遊するように付与されることができる。前記第１〜第４の電気泳動流体２２３′、２２５′、２２７′、２２９′は、前記第９〜第１２のキャビティ２１６ｂ、２１７ｂ、２１８ｂ、２１９ｂに順に配置されることができる。前記第１の電気泳動流体２２３′は、異なる電荷に帯電された白顔料粒子２２３ａ′及び黒顔料粒子２２３ｂ′を含むことができる。前記第２の電気泳動流体２２５′は、異なる電荷に帯電された青顔料粒子２２５ａ′及び黒顔料粒子２２５ｂ′を含むことができる。前記第３の電気泳動流体２２７′は、異なる電荷に帯電された黄顔料粒子２２７ａ′及び黒顔料粒子２２７ｂ′を含むことができる。そして、前記第４の電気泳動流体２２９′は、異なる電荷に帯電された赤色粒子２２９ａ′及び黒粒子２２９ｂ′を含むことができる。
【０１４７】
一方、前記第１〜第４の電気泳動流体２２３′、２２５′、２２７′、２２９′は、前記光透過性流体に注入された所定の蛍光顔料（ｆｌｕｏｒｅｓｃｅｎｃｅ  ｐｉｇｍｅｎｔ）をさらに含むことができる。例えば、前記第１の電気泳動流体２２３′には白系列の蛍光顔料（以下、白蛍光顔料２２３ｃ′）がさらに付与され、前記第２の電気泳動流体２２５′には青色系列の蛍光顔料（以下、青蛍光顔料２２５ｃ′）がさらに付与されることができる。前記第３の電気泳動流体２２７′には黄系列の蛍光顔料（以下、黄蛍光顔料２２７ｃ′）がさらに付与され、前記第３の電気泳動流体２２９′には赤色系列の蛍光顔料（以下、赤蛍光顔料２２９ｃ′）が付与されることができる。前記白蛍光顔料２２３ｃ′、青蛍光顔料２２５ｃ′、黄蛍光顔料２２７ｃ′及び赤蛍光顔料２２９ｃ′は白顔料粒子２２３ａ′、青顔料粒子２２５ａ′、黄顔料粒子２２７ａ′及び赤顔料粒子２２９ａ′と同じ極性を有するように帯電できる。
【０１４８】
前記電極部１３０は、前記ベース１１０ｂの一側に配置された下部電極１３２と、前記ベース１１０ｂの他側に配置された上部電極１３４とを含む。前記下部電極１３２は、前記第１〜第４の電気泳動流体２２３′、２２５′、２２７′、２２９′に対応して配置される第１〜第４の電極２３２ａ、２３２ｂ、２３２ｃ、２３２ｄを含む。前記上部電極１３４は、前記ベース１１０の全面に対向する電極板の形態で付与される。前述のような電極部２３０は、前記第１〜第４の電気泳動流体２２３′、２２５′、２２７′、２２９′に選択的に電圧を印加し、前記第１〜第４の電気泳動流体２２３′、２２５′、２２７′、２２９′を独立して切り換えることができる。前記電極部２３０が前記着色材料２２０ｂを切り換える過程は、先に図１５及び図１６を参照して説明したことと概ね同一である。従って、前記白蛍光顔料２２３ｃ′、青蛍光顔料２２５ｃ′、黄蛍光顔料２２７ｃ′及び赤蛍光顔料２２９ｃ′は、前記電極部２３０により、前記光透過性流体内で白顔料粒子２２３ａ′、青顔料粒子２２５ａ′、黄顔料粒子２２７ａ′及び赤顔料粒子２２９ａ′と共に移動することができる。
【０１４９】
前述のような構造のカラー電子ペーパ表示装置２００ｅは、第１〜第４の電気泳動流体２２３′、２２５′、２２７′、２２９′が互いに同じ反射率を有するように、前記着色材料２２０ｂのサイズが調節された構造を有することができる。これにより、前記カラー電子ペーパ表示装置２００ｄは、異なるサイズを有する第１〜第４の電気永動流体２２３′、２２５′、２２７′、２２９′を備え、電気泳動方式で駆動される電子ぺーパの構造を有することができる。
【０１５０】
また、前述のような構造のカラー電子ペーパ表示装置２００ｅは、紫外線を吸収すれば、所定の色を発現する蛍光顔料が添加された第１〜第４の電気泳動流体２２３′、２２５′、２２７′、２２９′を備え、前記着色材料２２０ｂの反射率を向上することができる。これにより、本発明の他の変形例によるカラー電子ペーパ表示装置２００ｅは、第１〜第４の電気泳動流体２２３′、２２５′、２２７′、２２９′の反射率を増加させ、明るさ及び白黒対照比を向上することができる。
【０１５１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【符号の説明】
【０１５２】
１００  カラー電子ペーパ表示装置
１１０  ベース
１１２  プレート
１１４  隔壁
１１６  キャビティ
１２０  着色材料
１２２  第１の電子ボール
１２４  第２の電子ボール
１２６  第３の電子ボール
１３０  電極部
１３２  下部電極
１３４  上部電極
【図１】
0005638596.tif 000002
【図２】
0005638596.tif 000003
【図３】
0005638596.tif 000004
【図４】
0005638596.tif 000005
【図５ａ】
0005638596.tif 000006
【図５ｂ】
0005638596.tif 000007
【図６ａ】
0005638596.tif 000008
【図６ｂ】
0005638596.tif 000009
【図７ａ】
0005638596.tif 000010
【図７ｂ】
0005638596.tif 000011
【図８ａ】
0005638596.tif 000012
【図８ｂ】
0005638596.tif 000013
【図９ａ】
0005638596.tif 000014
【図９ｂ】
0005638596.tif 000015
【図１０】
0005638596.tif 000016
【図１１ａ】
0005638596.tif 000017
【図１１ｂ】
0005638596.tif 000018
【図１１ｃ】
0005638596.tif 000019
【図１２】
0005638596.tif 000020
【図１３】
0005638596.tif 000021
【図１４】
0005638596.tif 000022
【図１５】
0005638596.tif 000023
【図１６】
0005638596.tif 000024
【図１７】
0005638596.tif 000025
【図１８】
0005638596.tif 000026
【図１９】
0005638596.tif 000027
【図２０】
0005638596.tif 000028
【図２１】
0005638596.tif 000029
【図２２】
0005638596.tif 000030
【図２３】
0005638596.tif 000031
【図２４】
0005638596.tif 000032
【図２５】
0005638596.tif 000033
【図２６】
0005638596.tif 000034